(57)【要約】  フィルタカートリッジは、第１の開いている開口部を画定し、壁から開口部に沿って第１の開いている開口部中に伸びている少なくとも第１および第２突起物を有する第１端部キャップを含んでいる。第１突起物は、第２突起物から垂直方向および周囲方向の両方に間隔をあけて配置されている。また、フィルタカートリッジは、フィルタ媒体と第２端部キャップを含んでいる。フィルタカートリッジは、インナーライナアセンブリを有するボウル中に取付け可能であり、ボウルとインナーライナアセンブリは、フィルタシステムを形成するために、フィルタヘッドに接続可能である。フィルタシステムは、以下の特徴ある機構のうちの１つまたは組合せの機構を有する。特徴ある機構とは、適切なフィルタカートリッジがその中に取り付けられていない場合、フィルタヘッドとボウルが接続可能にならないことを確実にするためのフィルタロックアウト機構と、ボウルからフィルタカートリッジが取り外される前にボウルの液体を排出する自動排液機構と、フィルタヘッドからボウルを取り除いた後で、フィルタカートリッジがボウルとともに残っていることを確実にするためのカートリッジ保持機構である。アダプターリングは、他の種類のフィルタエレメントが突起物構成物を持たないとき、システム中の他の種類のフィルタエレメントを試験するために利用することができる。アセンブリ、点検整備方法、取り付け方法、使用方法、および保持方法を実施することができる。
2010524685.tif 000002
【特許請求の範囲】
【請求項１】
（ａ）第１の開いている開口部を画定する第１端部キャップであって、
（i）前記第１端部キャップが第１端部キャップシール部材を保持し、
（ii）前記第１端部キャップが前記第１の開いている開口部に沿って並ぶ開口壁を画定し、
（iii）前記開口壁から前記第１の開いている開口部中に少なくとも第１突起物と第２突起物とが伸びており、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されている、前記第１端部キャップと、
（ｂ）開いているフィルタ内部を画定し、かつ前記第１端部キャップに固定されている第１端部と、対向する第２端部とを有するフィルタ媒体の管状構造物であって、
（i）前記第１の開いている開口部が前記開いているフィルタ内部と連結している、前記フィルタ媒体の管状構造物と、
（ｃ）前記フィルタ媒体の前記第２端部に固定され、かつ前記開いているフィルタ内部に連結する第２の開いている開口部を画定する第２端部キャップであって、
（i）前記第２端部キャップシール部材を保持している、前記第２端部キャップと、
を有することを特徴とするフィルタカートリッジ。
【請求項２】
（ａ）前記第１端部キャップの前記第１の開いている開口部は、内径を画定し、
（ｂ）前記第１突起物は、前記第１の開いている開口部中に前記第１の開いている開口部の内径の４０％以下の長さで伸びており、
（ｃ）前記第２突起物は、前記第１の開いている開口部中に前記第１の開いている開口部の内径の４０％以下の長さで伸びていることを特徴とする請求項１に記載のフィルタカートリッジ。
【請求項３】
（ａ）前記第１突起物と前記第２突起物とは、周囲方向に互いに５０°以内の角度で間隔をあけて配置されていることを特徴とする請求項１に記載のフィルタカートリッジ。
【請求項４】
（ａ）前記第１突起物と前記第２突起物とは、周囲方向に互いに４５°以内の角度で間隔をあけて配置されていることを特徴とする請求項１に記載のフィルタカートリッジ。
【請求項５】
（ａ）前記第１端部キャップの前記第１の開いている開口部は、内径を画定し、
（ｂ）前記第１突起物と前記第２突起物との間の垂直方向の距離は、前記内径の２〜３０％の長さであることを特徴とする請求項１に記載のフィルタカートリッジ。
【請求項６】
（ａ）前記開口壁から前記第１の開いている開口部中に少なくとも第３突起物が伸びており、
（i）前記第３突起物は、前記第１突起物と前記第２突起物とから周囲方向に間隔をあけて配置されており、
（ii）前記第３突起物は、前記第１突起物または前記第２突起物から垂直方向に間隔をあけて配置されていることを特徴とする請求項１に記載のフィルタカートリッジ。
【請求項７】
（ａ）前記開口壁から前記第１の開いている開口部中に少なくとも第４突起物が伸びており、
（i）前記第４突起物は、前記第１突起物と、前記第２突起物と、前記第３突起物から周囲方向に間隔をあけて配置されており、
（ii）前記第４突起物は、前記第１突起物、前記第２突起物、または前記第３突起物のうちの２つから周囲方向に間隔をあけて配置されていることを特徴とする請求項６に記載のフィルタカートリッジ。
【請求項８】
（ａ）前記第１突起物と、前記第２突起物と、前記第３突起物と、前記第４突起物とのうちの２つは、周囲方向に互いに４５°以内の角度で間隔をあけて配置されており、前記第１突起物と、前記第２突起物と、前記第３突起物と、前記第４突起物とのうちの残りの２つは、互いに４５°以内の角度で周囲方向に間隔をあけて配置されていることを特徴とする請求項７に記載のフィルタカートリッジ。
【請求項９】
（ａ）前記第１端部キャップは、外側の半径方向表面を画定する、軸方向に伸びているネックを画定し、
（i）前記第１端部キャップシール部材は、前記外側の半径方向表面上で前記軸方向に伸びているネックによって保持されており、
（ｂ）前記ネックは、前記開口壁の一部を形成する内側の半径方向表面を画定し、
（i）前記第１突起物または前記第２突起物は、前記ネックの前記内側の半径方向表面から伸びていることを特徴とする請求項１に記載のフィルタカートリッジ。
【請求項１０】
（ａ）前記の第１端部キャップは、前記開口壁の一部を形成する内側の半径方向表面を画定する内側の媒体壁を有するフィルタ媒体保持部を画定し、
（i）前記内側の媒体壁の前記内側の半径方向表面は、前記ネックの前記内側の半径方向表面に対して半径方向内側に間隔をあけて配置されており、
（ii）前記第１突起物または前記第２突起物は、前記内側の媒体壁の前記内側の半径方向表面から伸びていることを特徴とする請求項９に記載のフィルタカートリッジ。
【請求項１１】
（ａ）前記第２端部キャップは、半径方向表面を画定する、軸方向に伸びている第２ネックを画定し、
（i）前記第２端部キャップシール部材は、前記半径方向表面上で軸方向に伸びている前記第２ネックによって保持されていることを特徴とする請求項１に記載のフィルタカートリッジ。
【請求項１２】
（ａ）前記第１端部キャップは、さらに、前記第１端部キャップの外側リムに隣接する外側の軸方向表面から突き出ている、軸方向に突き出た中央構成物を含むことを特徴とする請求項１に記載のフィルタカートリッジ。
【請求項１３】
（ａ）前記第１の開いている開口部の中心に配置され、前記第１端部キャップから伸びている、つかみ構成物と解放構成物とを有する保持機構を含むことを特徴とする請求項１に記載のフィルタカートリッジ。
【請求項１４】
（ａ）前記つかみ構成物は、互いに向かう方向で半径方向に伸びている１組の対向する指部を含み、
（ｂ）前記解放構成物は、１組の対向するタブを含み、各タブは、前記指部に対して約９０°の角度の位置に配置されていることを特徴とする請求項１３に記載のフィルタカートリッジ。
【請求項１５】
（ａ）前記フィルタ媒体はひだ付フィルタ媒体であることを特徴とする請求項１に記載のフィルタカートリッジ。
【請求項１６】
（ａ）内部容積部を画定する周囲壁と、開いている口部と、前記口部に対向する端部と、を含むボウルであって、
（i）前記ボウルの端部は、前記内部容積部と流体連絡する排液開口部を画定する、前記ボウルと、
（ｂ）開いているフィルタ内部を画定するフィルタ媒体の管状構造物を有し、前記ボウルの前記内部容積部中に取り外し可能に配置されているフィルタカートリッジと、
（ｃ）半径方向内側に伸びている少なくとも１つの突起物を有し、前記開いているフィルタ内部中に配置されている多孔性の内側フィルタ支持体と、
（ｄ）前記ボウルの前記端部に向かう方向で、軸方向に伸びている少なくとも１つの片持ちばりの脚と、前記ボウルの前記開いている口部に向かう方向で、軸方向に伸びている溝付壁と、を含むバスケットであって、
（i）前記バスケットは、前記片持ちばりの脚が前記フィルタ支持体上の前記少なくとも１つの突起物と軸方向で隣接している、第１固定位置と、前記片持ちばりの脚が前記少なくとも１つの突起物を有する側壁から自由でありかつ前記バスケットを前記ボウルの端部に向かう方向への移動を可能にする、固定されていない位置と、から回転可能で移動可能であり、
（ii）前記溝付壁は、前記第１固定位置から前記固定されていない位置まで前記バスケットを回転するように作られかつ配置されている、前記バスケットと、
を有することを特徴とするフィルタアセンブリ。
【請求項１７】
（ａ）前記バスケットは、前記片持ちばりの脚が前記フィルタ支持体の前記少なくとも１つの突起物に軸方向で隣接している第１固定位置から、前記片持ちばりの脚が前記フィルタ支持体の前記少なくとも１つの突起物に対して側壁を部分的に自由にする第２固定位置まで、回転して移動可能あり、
（ｂ）前記溝付壁は、少なくとも１つの第１滑走表面を有する第１溝と第２滑走表面を有する第２溝とを有し、
（i）前記溝付壁は、前記第１溝の前記第１滑走表面で前記フィルタカートリッジの一部と係合し、かつ前記バスケットを前記第１固定位置から前記第２溝の前記第２滑走表面を露出する前記第２固定位置まで回転するように、作られかつ配置されており、
（ii）前記第２溝の前記第２滑走の表面は、前記フィルタカートリッジと係合し、かつ前記バスケットを前記第２固定位置から前記固定されていない位置まで回転するように、作られてかつ配置されていることを特徴とする請求項１６に記載のフィルタアセンブリ。
【請求項１８】
（ａ）ポストと、バスケットホルダとを含み、前記多孔性の内側フィルタ支持体の内部に使用可能に配置されているコア部分であって、
（i）前記バスケットは、複数の片持ちばりの脚を含み、
（ii）前記バスケットホルダは、前記ポストに外接しているすきま壁と、前記ポストに前記すきま壁を結合する複数のスポークとを有し、隣接する複数のスポークが、複数の脚収容開口部を画定し、
（iii）前記バスケットの前記複数の片持ちばりの脚は、前記複数の脚収容開口中に伸びている、前記コア部分と、
（ｂ）前記溝付壁によって外接されている中空カラムを有し、前記ポストが前記中空カラム中を伸びている、前記バスケットと、
をさらに有することを特徴とする請求項１７に記載のフィルタアセンブリ。
【請求項１９】
（ａ）前記バスケットは、前記中空カラムと前記溝付壁との間に伸びている複数のフランジとをさらに含み、
（ｂ）前記フィルタ支持体上の前記少なくとも１つの突起物は、前記コア部分を滑走可能に保持するように作られかつ配置されている複数のガイドレールを有し、
（ｃ）前記フィルタアセンブリは、前記バスケットホルダ中で回転可能なバスケットを前記固定位置に片寄らすように前記フランジの間に使用可能に配置されたバネを更に含むことを特徴とする請求項１８に記載のフィルタアセンブリ。
【請求項２０】
（ａ）前記フィルタカートリッジは、第１の開いている開口部を画定する第１端部キャップを含み、
（i）前記第１端部キャップは、前記第１の開いている開口部に沿って並んでいる開口壁を画定し、
（ii）前記開口壁から前記第１の開いている開口部中に少なくとも第１突起物および第２突起物が伸びており、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されており、
（１）前記第１突起物は、前記第１溝の前記第１滑走表面と係合するように作られかつ配置されており、
（２）前記第２突起物は、前記第２溝の前記第２滑走表面と係合するように作られかつ配置されていることを特徴とする請求項１６に記載のフィルタアセンブリ。
【請求項２１】
（ａ）前記フィルタカートリッジは、第１の開いている開口部を画定する第１端部キャップを含み、
（ｂ）前記バスケットは、前記片持ちばりの脚が前記フィルタ支持体上の前記少なくとも１つの突起物に軸方向で隣接している第１固定位置から、前記片持ちばりの脚が前記フィルタ支持体上の前記少なくとも１つの突起物に対して側壁から部分的に自由である第２固定位置まで、回転して移動可能であり、
（ｃ）前記溝付壁は、少なくとも第１滑走表面を有する第１溝と第２滑走表面を有する第２溝とを有し、
前記フィルタアセンブリは、さらに、
（ｄ）前記バスケットの周りに使用可能に取り付けられ、アダプター開口部を画定しかつ開口壁を有する、アダプターリングを含み、
（i）前記開口壁から前記アダプター開口部中に少なくとも第１突起物と第２突起物とが伸びており、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されており、
（１）前記第１突起物は、前記第１溝の前記第１滑走表面と係合するように作られかつ配置されており、
（２）前記第２突起物は、前記第２溝の前記第２滑走表面と係合するように作られかつ配置されていることを特徴とする請求項１６に記載のフィルタアセンブリ。
【請求項２２】
（ａ）前記多孔性の内側フィルタ支持体の内部に使用可能に配置され、ポストを含むコア部分を更に含み、
（ｂ）前記フィルタカートリッジは、前記ポストに取り外し可能に接続された保持機構を含むことを特徴とする請求項１６に記載のフィルタアセンブリ。
【請求項２３】
（ａ）シール位置と排液位置との間に移動可能に配置された、プラグを含む排液弁アセンブリを更に含み、
（i）前記シール位置は、前記ボウルの前記内部容積部と前記排液開口部との間で流体が流れるのを止める前記プラグを含み、
（ii）前記排液位置は、前記ボウルの前記内部容積部から前記排液開口部まで流体が流れるのを可能にするように、前記ボウルに対して配置されている前記プラグを含むことを特徴とする請求項１６に記載のフィルタアセンブリ。
【請求項２４】
（ａ）前記多孔性の内側フィルタ支持体の内部中に使用可能に配置されたコア部分を更に有し、前記コア部分は、係合位置と解放位置との間で移動可能に配置されているヘッドを有するポストを含み、
（i）前記係合位置は、前記プラグを前記シール位置に押し込むように前記プラグに対して配置されている前記ヘッドを含み、
（ii）前記解放位置は、前記プラグが前記排液位置まで動くのを可能にするように、前記プラグから間隔を空けて配置されている前記ヘッドを含むことを特徴とする請求項２３に記載のフィルタアセンブリ。
【請求項２５】
（ａ）前記コア部分は、さらにフィン構成物を含み、前記ポストの前記ヘッドは、半径方向フランジを含み、
（ｂ）前記多孔性の内側フィルタ支持体は、内側方向に伸びている支持体と、複数のガイドレールとを更に含み、
（i）前記ヘッドの半径方向フランジは、前記ヘッドが解放位置にあるとき、前記支持体の下側表面に対して移動可能に係合しており、
（ii）前記フィン構成物は、前記複数のガイドレール中に滑走可能に配置されており、
（ｃ）前記フィルタアセンブリは、前記フィン構成物と前記支持体の上側表面との間で使用可能に配置されたコア部分バネをさらに含んでいることを特徴とする請求項２４に記載のフィルタアセンブリ。
【請求項２６】
（ａ）前記排液弁アセンブリは、
（i）管状壁を有し、前記プラグが前記管状壁中に配置されかつ軸方向に移動可能である弁ハウジングと、
（ii）前記弁ハウジングの管状壁を取り囲みかつ前記プラグの一部を押すバネと、
（iii）前記プラグに固定され、前記弁ハウジングとともに第１プラグシールを形成する第１プラグシール部材であって、前記第１プラグシールは、前記プラグが前記シール位置にあるときに、ろ過されていない流体が前記フィルタ媒体を迂回して前記開いているフィルタ内部に入るのを防いでいる、前記第１プラグシール部材と、
（iv）前記プラグに固定され、前記弁ハウジングとともに第２プラグシール部材を形成する第２プラグシール部材であって、前記第２プラグシールは、流体が前記ボウルから前記排液開口部に入るのを防いでいる、前記第２プラグシール部材と、
（v）前記弁ハウジングに固定され、前記ボウルに接続されたディスクとともに第１弁シールを形成し、ろ過されていない流体が前記フィルタ媒体を迂回して前記開いているフィルタ内部に入るのを防いでいる第１弁シール部材と、
（vi）前記弁ハウジングに固定され、前記ボウルとともに第２弁シールを形成し、流体が前記ボウルから排液開口部に入るのを防いでいる第２弁シール部材と、
を有することを特徴とする請求項２４に記載のフィルタアセンブリ。
【請求項２７】
（ａ）前記弁ハウジングの管状壁は、流体がその中を流れるのを可能にする、開いているスロット構成物を画定することを特徴とする請求項２６に記載のフィルタアセンブリ。
【請求項２８】
請求項１６乃至２７のいずれか１項に記載のフィルタアセンブリと、
（ａ）前記ボウルに選択的に接続可能なフィルタヘッドであって、
（i）前記ボウルと前記フィルタヘッドとは、前記ボウルが前記口部で選択的に取り外し可能に前記フィルタヘッドに取り付けられるのを可能にする適合構造を有する、前記フィルタヘッドと、
を有することを特徴とするフィルタシステム。
【請求項２９】
フィルタカートリッジをボウルに設置する方法であって、
（ａ）フィルタ媒体の管状構造物を有するフィルタカートリッジをボウルに配置する工程であって、
（i）前記ボウルは、その中に取り付けられた内側フィルタ支持体を有し、
（ii）前記ボウルは、さらに前記内側フィルタ支持体内にバスケットを保持しているコア部分を有し、
（ｂ）前記配置する工程の間に、前記フィルタカートリッジを前記バスケットに押しつけて、前記コア部分と前記内側フィルタ支持体を取り外す工程と、
（ｃ）前記取り外した後に、前記フィルタカートリッジと前記コア部分の両方を前記内側フィルタ支持体に対して軸方向に移動する工程と、
を有することを特徴とする方法。
【請求項３０】
（ａ）前記バスケットは、前記ボウルの端部に向かう方向で軸方向に伸びている少なくとも１つの片持ちばりの脚を含み、
（ｂ）前記内側フィルタ支持体は、少なくとも１つの内側方向で半径方向に伸びている突起物を含み、
（ｃ）前記押しつける工程は、
（i）前記フィルタカートリッジから前記バスケットに対して伸びている第１突起物を係合して、前記バスケットを少し回転する工程と、
（ii）次に、前記フィルタカートリッジから前記バスケットに対して伸びている第２突起物を係合して、前記バスケットを、前記片持ちばりの脚を前記内側フィルタ支持体上で前記内側方向で半径方向に伸びている突起物に対する係合から更に回転して移動する工程と、
を有することを特徴とする請求項２９に記載の方法。
【請求項３１】
（ａ）内部容積部と、開いている口部と、前記口部の対向する端部とを画定する周囲壁を含むボウルであって、
（i）前記ボウルの端部は、前記内部容積部と流体連絡する排液開口部を画定する、前記ボウルと、
（ｂ）開いているフィルタ内部を画定するフィルタ媒体の管状構造物を有し、前記ボウルの前記内部容積部中に取り外し可能に配置されているフィルタカートリッジと、
（ｃ）前記開いているフィルタ内部中に配置されている多孔性の内側フィルタ支持体と、
（ｄ）シール位置と排液位置との間で移動可能に配置されたプラグを含む排液弁アセンブリであって、
（i）前記シール位置は、前記ボウルの前記内部容積部と前記排液開口部との間で流体が流れるのを止める前記プラグを含み、
（ii）前記排液位置は、前記ボウルの前記内部容積部から前記排液開口部まで流体が流れるのを可能にするように、前記ボウルに対して配置されている前記プラグを含む、前記排液弁アセンブリと、
とを有することを特徴とするフィルタアセンブリ。
【請求項３２】
（ａ）前記多孔性の内側フィルタ支持体の内部中に使用可能に配置されたコア部分を更に有し、前記コア部分は、係合位置と解放位置との間で移動可能に配置されているヘッドを有するポストを含み、
（i）前記係合位置は、前記プラグを前記シール位置に押し込むように前記プラグに対して配置している前記ヘッドを含み、
（ii）前記解放位置は、前記プラグが前記排液位置に動くのを可能にするように、前記プラグから間隔を空けて配置されている前記ヘッドを含むことを特徴とする請求項３１に記載のフィルタアセンブリ。
【請求項３３】
（ａ）前記コア部分は、さらにフィン構成物を含み、前記ポストのヘッドは、半径方向フランジを含み、
（ｂ）前記多孔性の内側フィルタ支持体は、内側方向に伸びている支持体と、複数のガイドレールとをさらに含み、
（i）前記ヘッドの半径方向フランジは、前記ヘッドが前記解放位置にあるとき、前記支持体の下側表面に対して移動可能に係合しており、
（ii）前記フィン構成物は、前記複数のガイドレール中に滑走可能に配置されており、
（ｃ）前記フィルタアセンブリは、前記フィン構成物と前記支持体の上側表面との間で使用可能に配置されたコア部分バネを更に含んでいることを特徴とする請求項３２に記載のフィルタアセンブリ。
【請求項３４】
（ａ）前記排液弁アセンブリは、
（i）管状壁を有し、前記プラグが前記管状壁中に配置されかつ軸方向に移動可能である弁ハウジングと、
（ii）前記弁ハウジングの管状壁を取り囲みかつ前記プラグの一部を押すバネと、
（iii）前記プラグに固定され、前記弁ハウジングとともに第１プラグシールを形成する第１プラグシール部材であって、前記第１プラグシールは、前記プラグが前記シール位置にあるときに、ろ過されていない流体が前記フィルタ媒体を迂回して前記開いているフィルタ内部に入るのを防いでいる、前記第１プラグシール部材と、
（iv）前記プラグに固定され、前記弁ハウジングとともに第２プラグシール部材を形成する第２プラグシール部材であって、前記第２プラグシールは、流体が前記ボウルから前記排液開口部に入るのを防いでいる、前記第２プラグシール部材と、
（v）前記弁ハウジングに固定され、前記ボウルに接続されたディスクとともに第１弁シールを形成し、ろ過されていない流体が前記フィルタ媒体を迂回して前記開いているフィルタ内部に入るのを防いでいる第１弁シール部材と、
（vi）前記弁ハウジングに固定され、前記ボウルとともに第２弁シールを形成し、流体が前記ボウルから排液開口部に入るのを防いでいる第２弁シールと、
を有することを特徴とする請求項３２に記載のフィルタアセンブリ。
【請求項３５】
（ａ）前記弁ハウジングの管状壁は、流体がその中を流れるのを可能にする開いているスロット構成物を画定することを特徴とする請求項３４に記載のフィルタアセンブリ。
【請求項３６】
請求項３１乃至３５のうちのいずれか１項に記載のフィルタアセンブリと、
（ａ）前記ボウルに選択的に接続可能なフィルタヘッドであって、
（i）前記ボウルと前記フィルタヘッドは、前記ボウルが前記口部で選択的かつ取り外し可能に前記フィルタヘッドに取り付けられるのを可能にする適合構造を有する、前記フィルタヘッドと、
を有することを特徴とするフィルタシステム。
【請求項３７】
フィルタアセンブリから液体を排出する方法であって、
（ａ）内部容積部と、流体出口部分と、フィルタカートリッジと、を有するボウルをフィルタヘッドから少なくとも少しゆるめて、バネがプラグをシール位置から排液位置へと軸方向に移動するのを可能にする工程を有し、
（i）前記シール位置は、前記ボウルの内部容積部と前記流体出口部分との間で流体が流れるのを止め、かつ前記フィルタカートリッジの上流側と前記フィルタカートリッジの下流側との間で流体が流れるのを止める前記プラグを含み、
（ii）前記排液位置は、前記ボウルの内部容積部と前記ボウルの流体出口部との間で流体が流れるを可能にするように配置された前記プラグを含むことを特徴とする方法。
【請求項３８】
（ａ）前記ボウルを少しゆるめる工程は、弁スプリングが前記シール位置から前記排液位置へ前記プラグを移動するのを可能にするように、コア部分バネが、ヘッドを有するコア部分を前記プラグとの係合から軸方向に移動するのを可能にする工程を含み、することを特徴とする請求項３７に記載の方法。
【請求項３９】
（ａ）内部容積部と、開いている口部と、前記口部の対抗する端部と、を画定する周囲壁を含むボウルと、
（ｂ）開いているフィルタ内部を画定するフィルタ媒体の管状構造物を有し、前記ボウルの前記内部容積部に配置された取り外し可能なフィルタカートリッジと、
（ｃ）前記開いているフィルタ内部に配置された多孔性の内側フィルタ支持体と、
（ｄ）ポストを含み、前記多孔性の内側フィルタ支持体の内部に使用可能に配置されたコア部分と、
（ｅ）前記フィルタカートリッジを前記ポストに取り外し可能に接続するように作られかつ配置されている保持機構と、
を有することを特徴とするフィルタアセンブリ。
【請求項４０】
（ａ）前記ポストはその自由端部でボタンを画定し、
（ｂ）前記保持機構は、つかみ構成物と解放構成物とを含み、
（i）前記つかみ構成物は、前記ボタンで前記ポストを保持し、
（ii）前記解放構成物は、前解放構成物を押し込むと、前記つかみ構成物が前記ポストからはずれるように作られてかつ配置されていることを特徴とする請求項３９に記載のフィルタアセンブルリ。
【請求項４１】
（ａ）前記保持機構は、前記フィルタカートリッジと前記コア部分との間に配置されたアダプターリングの一部であることを特徴とする請求項４０に記載のフィルタアセンブルリ。
【請求項４２】
（ａ）前記保持機構は、前記フィルタカートリッジの端部キャップと一体となっていることを特徴とする請求項４０に記載のフィルタアセンブルリ。
【請求項４３】
（ａ）前記コア部分は、さらに前記ポストから半径方向に伸びているフィン構成物を含み、前記ポストは、前記ボタンの対向する端部にヘッドを有し、
（ｂ）前記多孔性の内側フィルタ支持体は、さらに内側に伸びている支持体と複数のガイドレールと含み、
（i）前記ヘッドは、前記支持体の下側表面に対してかつ前記下側表面から離れる方向に移動可能に係合しており、
（ii）前記フィン構成物は、前記複数のガイドレール中で滑走可能に配置されており、
（ｃ）前記フィルタアセンブリは、さらに、前記多孔性の内側フィルタ支持体中で軸方向に前記コア部分を移動すように、前記フィン構成物と前記支持体の上側表面との間で使用可能に配置されたコア部分バネを含むことを特徴とする請求項３９に記載のフィルタアセンブルリ。
【請求項４４】
（ａ）前記ボウルに選択的に接続可能なフィルタヘッドを更に有し、
（i）前記ボウルと適合構造を有する前記フィルタヘッドとは、前記ボウルが前記口部で前記選択的に取り外し可能に前記フィルタヘッドに取り付けられるのを可能にすることを特徴とする請求項３９乃至請求項４３のいずれか１項に記載のフィルタアセンブリ。
【請求項４５】
フィルタシステムを点検整備する方法であって、
（ａ）フィルタカートリッジを含むボウルを有するフィルタアセンブリを、フィルタヘッドから取り外す工程と、
（ｂ）前記取り外す工程の間に、１組の対向する指部が半径方向で互いに向かう方向に伸びている状態で、前記ボウルに取り付けられているコア部分上のボタンをつかむことによって、前記フィルタカートリッジを前記ボウルに保持する工程と、
を有することを特徴とする方法。
【請求項４６】
（ａ）前記保持する工程の後で、対向するタブをつかんで互いに向う方向に押し込んで、前記ボタンから指部を取りはずし、それにより前記ボウルから前記フィルタカートリッジを取り外す工程と、
（ｂ）前記対向するタブをつかんだまま、前記ボウルから前記フィルタカートリッジを引き出す工程と、
を更に有することを特徴とする請求項４５に記載の方法。
【請求項４７】
（ａ）前記つかむ工程は、前記フィルタカートリッジと一体となっている対向する指部を使用する工程を含むことを特徴とする請求項４５に記載の方法。
【請求項４８】
（ａ）前記つかむ工程は、前記フィルタカートリッジと前記コア部分との間で、アダプターの一部である対向する指部を使用する工程を含むことを特徴とする請求項４５に記載の方法。
【請求項４９】
フィルタボウルととともに使用するアダプターリングであって、
（ａ）開口部を画定し、外側の半径方向表面と内側の半径方向表面とを有し、前記内側の半径方向表面が開口壁を画定する円形バンドと、
（ｂ）前記開口壁から前記開口部中に伸びている少なくとも第１突起物と第２突起物であって、
（i）前記第１突起物が前記第２突起物から前記開口壁に沿って垂直方向に間隔をあけて配置されており、
（ii）前記第１突起物が前記第２突起物から前記開口壁に沿って周囲方向に間隔をあけて配置されている、前記少なくとも第１突起物および第２突起物と、
を有することを特徴とするアダプターリング。
【請求項５０】
（ａ）前記開口部は内径を画定し、
（ｂ）前記第１突起物は、前記開口部の内径の４０％以下の長さで前記開口部中に伸びており、
（ｃ）前記第２突起物は、前記開口部の内径の４０％以下の長さで前記開口部中に伸びており、
（ｄ）前記第１突起物と第２突起物との間の垂直方向の距離は、前記内径の２〜３０％の長さであることを特徴とする請求項４９に記載のアダプターリング。
【請求項５１】
（ａ）前記開口壁から前記開口部中に伸びている少なくとも第３突起物を更に有し、
（i）前記第３突起物は、前記第１突起物と前記第２突起物とから周囲方向に間隔をあけて配置されており、
（ii）前記第３突起物は、前記第１突起物または前記第２突起物から垂直方向に間隔をあけて配置されていることを特徴とする請求項５０に記載のアダプターリング。
【請求項５２】
（ａ）前記開口壁から前記開口部中に伸びている少なくとも第４の突起物を更に有し、
（i）前記第４突起物は、前記第１突起物と、前記第２突起物と、前記第３突起物とから周囲方向に間隔をあけて配置されており、
（ii）前記第４突起物は、前記第１突起物、前記第２突起物、または前記第３突起物のうちの２つだけから垂直囲方向に間隔をあけて配置されていることを特徴とする請求項５１に記載のアダプターリング。
【請求項５３】
（ａ）前記第１突起物と、前記第２突起物と、前記第３突起物と、前記第４突起物とのうちの２つは、互いに４５°以内の角度で周囲方向に間隔をあけて配置されており、前記第１突起物と、前記第２突起物と、前記第３突起物と前記第４突起物とのうちの残りの２つは、互いに４５°以内の角度で周囲方向に間隔をあけて配置されていることを特徴とする請求項５２に記載のアダプターリング。
【請求項５４】
コア部分と内側フィルタ支持体とを取り外すためにアダプターリングを使用する方法であって、
（ａ）少なくとも第１突起物と第２突起物とを有するアダプターをフィルタボウル中に配置する配置工程であって、
（i）前記フィルタボウルは、その中に取り付けられた内側フィルタ支持体を有し、
（ii）前記フィルタボウルは、前記内側フィルタ支持体中でバスケットを保持するコア部分をさらに有する、前記配置工程と、
（ｂ）前記配置工程の間に、前記バスケットに対して前記第１突起物を押し込み、次に、前記バスケットに対して前記第２突起物を押し込んで、前記コア部分と前記内側フィルタ支持体を取り外す取外工程と、
（ｃ）前記取外工程の後で、前記内側フィルタ支持体に対して前記コア部分を軸方向に移動する移動工程と、
を有することを特徴とする方法。
【請求項５５】
（ａ）前記取外工程の後で、前記フィルタボウル中に、フィルタ媒体の管状構造物を有するフィルタカートリッジを使用可能に取り付ける取付工程を更に有することを特徴とする請求項５４に記載の方法。
【請求項５６】
（ａ）内部容積部と、開いている口部と、前記口部に対向する端部と、を画定する周囲壁を含むボウルであって、
（i）前記ボウルの端部が前記内部容積部と流体連絡する排液開口部を画定する、前記ボウルと、
（ｂ）開いているフィルタ内部を画定するフィルタ媒体の管状構造物を有し、前記ボウルの前記内部容積部中に取り外し可能に配置されたフィルタカートリッジと、
（ｃ）前記開いているフィルタ内部中に配置された多孔性の内側フィルタ支持体と、
（ｄ）前記ボウルの排液開口部中でシール位置と排液位置との間に使用可能に配置されたプラグを有し、前記多孔性の内側フィルタ支持体の内部中に使用可能に配置されたコア部分であって、
（i）前記シール位置は、前記ボウルの内部容積部と前記排液開口部との間で流体が流れるのを止める前記プラグを含み、
（ii）前記排液位置は、前記ボウルの内部容積部から前記排液開口部を通る流れを可能にするように、前記ボウルに対して配置されている前記プラグを含む、前記コア部分と、
を有することを特徴とするフィルタアセンブリ。
【請求項５７】
フィルタアセンブリから液体を排出する方法であって、
（ａ）内部容積部と、流体出口部と、フィルタカートリッジとを含むボウルを、フィルタヘッドから少なくとも少しゆるめて、バネが、プラグを有するコア部分をシール位置から排液位置まで軸方向に移動するのを可能にする工程を有し、
（i）前記シール位置は、内側フィルタ支持体の部分を流れが通るのを止めることによって、前記ボウルの内部容積部と前記流体出口部との間で流体が流れるのを止める前記プラグを含み、
（ii）前記排液位置は、前記内側フィルタ支持体の部分を流れが通るのを可能にするように、前記内側フィルタ支持体に対して配置され、前記ボウルの内部容積部と前記ボウルの流体出口部との間で流体が流れるのを可能にする、前記プラグを含むことを特徴とする方法。
【発明の詳細な説明】
【技術分野】
【０００１】
本開示は、ろ過アセンブリとろ過方法に関する。特に、本開示は、潤滑油フィルタ、液圧フィルタおよび燃料フィルタなど液体をろ過するためのろ過アセンブリとろ過方法に関する。
【背景技術】
【０００２】
関連出願への相互参照
本出願は、米国以外の全ての国を指定国とする出願人である米国国内企業であるドナルドソン会社と、米国のみを指定国とする出願人である米国人のブラッドリーＳ.ホナーマン、キャスリンＡ.レゴウルト、ジョンＲ.ハッカー、マークＳ.エメリーとの名において、国際特許出願として２００８年４月２５日に出願されたものであり、２００７年４月２７日出願された米国仮特許出願第６０/９２６,５４７号と２００７年８月１５日出願された米国仮特許出願第６０/９５５,９５４号の優先権を主張するものであり、これらの出願は本明細書中に引用により合体される。
【０００３】
背景技術
フィルタは、内燃機関のための潤滑システムおよび燃料システムと、高負荷装置のための液圧システムに対して一般的に使用される。また、フィルタは、他の多くの種類の液体システムで使用される。これらの種類のシステムでは、フィルタは定期的に取り替えられる。当技術分野では、少なくとも２種類の標準のフィルタが使用される。１つの種類は、スピンオン・キャニスタフィルタであり、他方はフィルタボウルカートリッジフィルタである。
【０００４】
フィルタボウルカートリッジフィルタは、通常は、取替え可能なフィルタエレメント（フィルタカートリッジ）を保持する再利用可能なフィルタボウルを含んでいる。フィルタボウルカートリッジフィルタは、処分あるいは他の問題により、スピンオン・キャニスタフィルタの代替としてときに好ましいものである。フィルタボウルカートリッジフィルタは、フィルタヘッドに取り付けられ、洗浄すべき液体はフィルタヘッドを通ってフィルタボウルに入り、取替え可能なフィルタカートリッジを通って、フィルタボウルからフィルタヘッドに戻る。使用期間後に、フィルタボウルカートリッジフィルタは、フィルタヘッドから取り外し、取替え可能なフィルタカートリッジを再利用可能なフィルタボウルから取り外す。古いフィルタカートリッジは処分され、新しいフィルタカートリッジに取り替る。新しいフィルタカートリッジは、再び新しくされたフィルタボウルカートリッジフィルタを提供するために再利用可能なフィルタボウルに使用可能に取り付けられる。次に、新しいフィルタカートリッジを含む新装したフィルタボウルカートリッジフィルタをフィルタヘッドに取り付ける。
【発明の概要】
【発明が解決しようとする課題】
【０００５】
既存の構成物に対するいくつかの問題は、フィルタボウルカートリッジフィルタを点検整備するときに起こる混乱状態を含む。すなわち、フィルタヘッドからフィルタボウルを取り除くとき、フィルタボウルはその中に、通常、油、液圧流体、またはろ過する流体を含む。フィルタヘッドからフィルタボウルを取り除く間、フィルタボウルは液体を含むため、この液体の処分する際に、流出、したたり、または不便をもたらす。これらの問題に対処するために、フィルタ設計における改良が望まれる。
【０００６】
他の問題は、古いフィルタカートリッジを取り外した後に、フィルタカートリッジの取り替えを忘れる可能性を含む。すなわち、点検整備のために古いフィルタカートリッジを取り外した後に、新しいフィルタカートリッジを使用可能に挿入せずに、フィルタヘッドにフィルタボウルを取り替えて戻すことは可能であり得る。これはろ過を必要とする装置に対して損害を引き起こす結果をもたらし得る。さらに、１つのシステムで共通するフィルタヘッドに互いに近接する複数のフィルタアセンブリがあるとき、フィルタを点検整備する人は、時々、どのフィルタアセンブリをどこに接続するか混乱する場合がある。間違ったフィルタアセンブリをフィルタヘッドに間違って取り付けると損害を引き起こす結果をもたらす。これらの問題に取り組むために改良が望まれる。
【課題を解決するための手段】
【０００７】
概要
これらおよび他の問題に取り組むために、１つの態様において、フィルタカートリッジが提供される。フィルタカートリッジは、第１の開いている開口部を画定する第１端部キャップ、フィルタ媒体の管状構造物および第２端部キャップを含んでいる。第１端部キャップは、第１端部キャップシール部材を保持している。第１端部キャップは、第１の開いている開口部に沿って並んでいる開口壁を画定する。少なくとも第１および第２突起物は、開口壁から第１の開いている開口部中に伸びている。第１突起物は、第２突起物から開口壁に沿って垂直方向に間隔をあけて配置されている。また、第１突起物は、第２突起物から開口壁に沿って周囲に間隔をあけて配置されている。
【０００８】
もう一つの態様において、内部容積部を画定する周囲壁を含むボウルと、ボウルの内部容積部内に取り外し可能に配置されたフィルタカートリッジと、フィルタカートリッジの開いているフィルタ内部中に配置されている多孔性の内側フィルタ支持体と、バスケットとを含むフィルタアセンブリが提供される。フィルタ支持体は、半径方向の内側に伸びている少なくとも１つの突起物を含んでいる。バスケットは、ボウルの端部に向かう方向で軸方向に伸びている少なくとも１つの片持ちばりの脚を含んでいる。また、バスケットは、ボウルの開いている口部に向かう方向に軸方向伸びている溝付壁を含んでいる。バスケットは、片持ちばりの脚がフィルタ支持体上の少なくとも１つの突起物に軸方向で隣接している第１固定位置と、片持ちばりの脚が少なくとも１つの突起物を有する側壁から自由でありかつ前記バスケットを前記ボウルの端部に向かう方向に移動可能にする、固定されていない位置と、から回転可能で移動可能である。溝付壁は、第１固定位置から固定されていない位置までバスケットを回転するように作られかつ配置されている。
【０００９】
もう一つの態様では、フィルタシステムは、上記に特徴付けられたようなフィルタアセンブリを含んで提供され、かつフィルタボウルに選択的に接続可能なフィルタヘッドを更に有し、フィルタボウルとフィルタヘッドは、フィルタボウルが口部で選択的かつ取り外し可能にフィルタヘッドに取り付けられるのを可能にする適合構造（mating structure）を有する。
【００１０】
もう一つの態様では、フィルタカートリッジをフィルタボウルに設置する方法は、フィルタ媒体の管状構造物を有するフィルタカートリッジをフィルタボウルに配置する工程を有し、フィルタボウルは、内側フィルタ支持体と、内側フィルタ支持体内にバスケットを保持しているコア部分を有す。配置する工程の間に、この方法は、フィルタカートリッジをバスケットに押しつけて、コア部分と内側フィルタ支持体を取り外す工程を含む。この方法は、さらに、取りはずした後に、フィルタカートリッジとコア部分の両方を内側フィルタ支持体に対して軸方向に移動する工程を有する。
【００１１】
もう一つの態様では、周囲壁と、開いている口部と、口部の対向する端部と、口部の対向する端部で内部容積部と流体連絡している排液開口部と、を含むボウルを提供するフィルタアセンブリが提供される。フィルタカートリッジは、ボウルの内部容積部中に取り外し可能に配置され、開いているフィルタ内部を画定するフィルタ媒体の管状構造物を含んでいる。多孔性の内側フィルタ支持体は、開いているフィルタ内部中に配置されている。排液弁アセンブリは、シール位置と排液位置との間に移動可能に配置されたプラグを含んでいる。シール位置は、ボウルの内部容積部と排液開口部との間で流体が流れるのを止めるプラグを含んでいる。排液位置は、ボウルの内部容積部から排液開口部まで流体が流れるのを可能にするために、ボウルに対して配置されているプラグを含んでいる。
【００１２】
もう一つの態様では、フィルタアセンブリから液体を排出する方法は、フィルタカートリッジを含むボウルをフィルタヘッドから少なくとも少しゆるめて、バネがプラグをシール位置から排液位置へと軸方向に移動するのを可能にする工程を有する。ボウルは、内部容積部と流体出口部分とを有する。シール位置は、ボウルの内部容積部と流体出口部分との間で流体が流れるのを止め、かつフィルタカートリッジの上流側とフィルタカートリッジの下流側との間で流体が流れるのを止めるプラグを含む。排液位置は、ボウルの内部容積部とボウルの流体出口部との間で流体流れを可能にするように配置されたプラグを含む。
【００１３】
もう一つの態様では、ボウルと、ボウル中に配置された取り外し可能なフィルタカートリッジと、フィルタカートリッジの開いているフィルタ内部中に向かって配置された多孔性の内側フィルタ支持体と、多孔性の内側フィルタ支持体の内部中に使用可能に配置されたコア部分を含むフィルタアセンブリが提供される。コア部分はポストを含む。フィルタカートリッジは更にポストに取り外し可能に接続された保持機構を含む。
【００１４】
もう一つの態様では、フィルタシステムを点検整備する方法は、フィルタカートリッジを含むボウルを有するフィルタアセンブリを、フィルタヘッドから取り外す工程を含んでいる。次に、この方法は、取り外す工程の間に、ボウルに取り付けられているコア部分上のボタンを、１組の対向する指部が半径方向で互いに向かう方向に伸びている状態で掴むことによって、前記フィルタカートリッジを前記ボウルに保持する工程を有する。
【００１５】
もう一つの態様では、フィルタボウルととともに使用するアダプターリングが提供される。アダプターリングは、開口部を画定する円形バンドを含んでいる。円形バンドは、外側の半径方向表面と内側の半径方向表面とを有する。内側の半径方向表面は、開口壁を画定する。少なくとも第１第２突起物および第２突起物は、開口壁から開口部中に伸びている。第１突起物は、第２突起物から開口壁に沿って垂直方向に間隔をあけて配置されている。第１突起物は、第２突起物から開口壁に沿って周囲方向に間隔をあけて配置されている。
【００１６】
もう一つの態様では、コア部分と内側フィルタ支持体を取り外すためにアダプターリングを使用する方法が提供される。この方法は、少なくとも第１突起物および第２突起物を有するアダプターをフィルタボウル中に配置する工程を含む。フィルタボウルは、その中に取り付けられた内側フィルタ支持体を有する。フィルタボウルは、内側フィルタ支持体中にコア部分をさらに有する。コア部分は、バスケットを有する。この方法は、また、配置する工程の間に、バスケットに対して第１突起物を押し込み、次に、バスケットに対して第２突起物を押し込んで、コア部分と内側フィルタ支持体を取り外す工程を有する。この方法は、取り外す工程の後で、内側フィルタ支持体に対してコア部分を軸方向に移動する工程を実施することを可能にする。
【００１７】
もう一つの態様では、開いている口部と、排液開口部を有するボウルと、ボウルの内部容積部中に取り外し可能に配置されたフィルタカートリッジと、フィルタカートリッジの開いているフィルタ内部中に配置された多孔性の内側フィルタ支持体と、多孔性の内側フィルタ支持体の内部中に使用可能に配置されたコア部分と、を含むフィルタアセンブリが提供される。コア部分は、ボウルの排液開口部中でシール位置と排液位置との間で使用可能に配置されたプラグを含む。シール位置は、ボウルの内部容積部と排液開口部との間で流体流れを止めるプラグを含み、排液位置は、ボウルの内部容積部から排液開口部を通る流れを可能にするように、ボウルに対して配置されたプラグを含む。
【００１８】
もう一つの態様では、フィルタアセンブリから液体を排出する方法は、フィルタヘッドからフィルタカートリッジを含むボウルを少なくとも少しゆるめて、バネがプラグを有するコア部分を、シール位置から排液位置まで軸方向に動かすのを可能にする工程を有する。シール位置は、内側フィルタ支持体の部分を流れが通るのを止めることによって、ボウルの内部容積部と流体出口部との間で流体が流れるのを止めるプラグを含む。排液位置は、内側フィルタ支持体の部分を流れが通るのを可能にするように、内側フィルタ支持体に対して配置されたプラグを含み、ボウルの内部容積部とボウルの流体出口部との間で流体が流れのを可能にする。
【図面の簡単な説明】
【００１９】
【図１】複数のフィルタアセンブリを含むフィルタシステムの斜視図であり、フィルタアセンブリの１つが本開示の原理に基づいて作られたフィルタボウルから取り外されたフィルタカートリッジを示す図である。
【図２】本開示の原理に基づいて作られた、フィルタカートリッジとフィルタボウルを含むフィルタアセンブリの斜視図である。
【図３】図２に示されたフィルタアセンブリの斜視断面図である。
【図４】図２に示されたフィルタアセンブリの断面図である。
【図５】図２のフィルタアセンブリで利用されるフィルタカートリッジの平面図である。
【図６】図５の線６−６に沿って得られる図５に示されたフィルタカートリッジの断面図である。
【図７】図５の線７−７に沿って得られる図５と図６のフィルタカートリッジの斜視断面図である。
【図８】フィルタカートリッジを取り外した状態のフィルタボウルと内側アッセンブリだけの斜視断面図である。
【図９】図４と類似のフィルタアセンブリの断面図であり、排液弁の特徴を目立たせる図である。
【図１０】図９の排液弁の特徴の領域を示す拡大断面図である。
【図１１】図１と類似のフィルタシステムの断面図であるが、フィルタヘッドに１つのフィルタアセンブリだけを連結したときの図である。
【図１２】図１１に示された排液弁の特徴を示す拡大断面図である。
【図１３】図１〜１２のフィルタアセンブリで利用する排液弁アセンブリの分解斜視図である。
【図１４】組み立てられたときの図１３の排液弁アセンブリの平面図である。
【図１５】図１３と図１４の排液弁アセンブリの斜視断面図である。
【図１６】コア部分とフィルタ支持体を係合する準備ができているときのフィルタカートリッジの端部キャップの平面図であり、フィルタカートリッジの残りの部分は説明のために省略されている図である。
【図１７】図１６の側面図であり、端部キャップ、コア部分、およびフィルタ支持体の一部を示す図である。
【図１８】図１７の斜視図であり、フィルタ支持体の完全な延長部と一部が除去された端部キャップを示す図である。
【図１９】コア部分のバスケットホルダ中にありかつフィルタ支持体に対して第１固定位置にあるバスケットを示す斜視図である。
【図２０】図１９に類似の斜視図であり、フィルタ支持体に対して第２固定位置にあるバスケットを示す図である。
【図２１】図１９と２０に類似の斜視図であり、フィルタ支持体に対して固定されていない位置にあるバスケットを示す図である。
【図２２】図２１と同じ斜視図であるが、他の部品を示すために一部除去したバスケットホルダとバスケットを示す図である。
【図２３】バスケットを第１固定位置から第２固定位置に回転したときのバスケットとバスケットホルダに係合した端部キャップを示す部分断面正面図である。
【図２４】バスケットの斜視図である。
【図２５】図２３の構成物の斜視図である。
【図２６】図２５の構成物の斜視図であるが、図２５で示された断面を除去した構造を持たない図である。
【図２７】図２５で示された部分の部分拡大斜視断面図である。
【図２８】バスケットとバスケットホルダに係合しているカートリッジ端部キャップの図２５に類似する部分斜視断面図であるが、第１固定位置のバスケットを示す図である。
【図２９】図２８の構成物の平面図である。
【図３０】図２８に示された部分の拡大斜視図である。
【図３１】バスケットが固定されていない位置にあるときのバスケットと係合するカートリッジ端部キャップの斜視図である。
【図３２】図１のシステムで利用するバイパスフィルタカートリッジの断面図である。
【図３３】アダプター構成物の第１実施例であり、アダプター構成物がフィルタアセンブリ中でどのように利用されるかを示す斜視図である。
【図３４】図３３のアダプターの平面図である。
【図３５】アダプター構成物の第２実施例の斜視図である。
【図３６】図３５のアダプター構成物の平面図である。
【図３７】アダプター構成物の第３実施例の斜視図である。
【図３８】図３７のアダプター構成物の平面図である。
【図３９】ロックアウト構成物のためにフィルタヘッドと接続することができないフィルタボウルの断面図である。
【図４０】本開示の原理に基づいて作られたフィルタアセンブリとフィルタヘッドを含む別のフィルタシステムの分解斜視図である。
【図４１】図４０に示すフィルタボウルとフィルタカートリッジを含む、フィルタアセンブリの斜視図である。
【図４２】図４０に示すフィルタカートリッジの斜視図である。
【図４３】図４２に示されたフィルタカートリッジの概略的な断面図である。
【図４４】図４０と４１で示されたフィルタボウルの斜視図である。
【図４５】図４４に示されたフィルタボウルの概略的な断面図であり、インナーライナアセンブリを示す図である。
【図４６】図４５に示されたインナーライナアセンブリの１つの実施例の概略的な断面図である。
【図４７】図４６のコンポーネントの分解斜視図である。
【図４８】本開示の原理に基づいて作られた好適な実施例のフィルタボウル、インナーライナアセンブリ、およびフィルタヘッドの概略的な断面図である。
【図４９】図４８の断面図で見ることができるバスケット、アダプター、および内側フィルタ保持管の一部の分解斜視図である。
【図５０】本開示の原理に基づいて作られたフィルタヘッド、フィルタボウル、および使用可能に一緒に組み立てられたフィルタカートリッジを含むフィルタシステムの概略的な断面図である。
【図５１】本開示の原理に基づいて作られたフィルタカートリッジの１つの実施例で利用される端部キャップの上側表面斜視図である。
【図５２】図５１の端部キャップとバスケットと図４９に示された内側フィルタ支持体の分解斜視図である。
【図５３】閉じた位置における図５０に示された排液弁の一部の拡大断面図である。
【図５４】図５０に示されたフィルタシステムの概略的な断面図であるが、図５４ではフィルタヘッドをフィルタボウルからすこしだけゆるめた状態を示しており、排液弁機構が開位置にあることを示す図である。
【図５５】図５４に示された断面の部分拡大図である。
【図５６】本開示の原理に基づいて作られたフィルタカートリッジがフィルタボウルから取り外されたときに現れるコア部分中でプラグに係合している端部キャップの部分的な概略斜視図であり、明瞭にするためにフィルタ媒体を図示しない図である。
【図５７】図５６のアセンブリの概略的な断面図である。
【図５８】図４７のコア部分の概略的な平面図である。
【発明を実施するための形態】
【００２０】
Ｉ.  図１〜３９の実施例
Ａ.  概要
フィルタアセンブリとフィルタヘッドを含むろ過システムの例示の実施例を図１〜３９に示す。図に示さない多くの実施例が予想されることを理解すべきである。図１に、フィルタヘッド３２とフィルタアセンブリ３４を含むフィルタシステム３０を示す。図１の実施例では、少なくとも第１および第２フィルタアセンブリ３４を収容する１つの共通のフィルタヘッド３２がある。また、バイパスフィルタアセンブリ３５がフィルタヘッド３２に取付けられている。第１および第２フィルタアセンブリ３４は、フルフロー（全流）フィルタアセンブリであるが、フィルタアセンブリ３５は、バイパスフィルタアセンブリである。
【００２１】
図１に、フィルタボウル３６と取外し可能で取替え可能なフィルタカートリッジ３８とを含むフィルタアセンブリ３４の１つを分解斜視図で示す。
【００２２】
各フィルタアセンブリ３４、３５は、フィルタヘッド３２に選択的に接続および取付け可能である。フィルタヘッド３２は、エンジンの潤滑油システム、エンジンのための燃料システム、高負荷装置のための液圧システム、および工業用発電機を含む他の装置に接続される。
【００２３】
例示の実施例では、フィルタアセンブリ３４は、ロックアウト機構、自動排液弁機構、およびカートリッジ保持機構を含む特徴を有する。これらの各特徴は、他の特徴と独立して実施することができる。図に示す特定の実施例では、３つのすべての特徴を同じフィルタアセンブリに統合して示している。当業者は、それぞれの特徴が他の特徴に独立して実施できることを理解することができる。
【００２４】
一般に、ロックアウト機構は、フィルタシステム３０にフィルタカートリッジ３８を取付けないまま誤って装置が作動することのないようにする（例えば、図３９を参照）。また、特定のフィルタシステム３０では、ロックアウト機構は、バイパスフィルタアセンブリ３５で使用するフィルタカートリッジを、誤ってフルフロー（全流）フィルタアセンブリ３４のフィルタカートリッジで使用しないように確実に補助する。フィルタシステム３０の取付装置は、フィルタボウル３６（図３９）中にフィルタカートリッジ３８が使用可能に配置されてない場合に、フィルタヘッド３２とフィルタボウル３６が使用可能に接続できないように確実に保護する。また、フィルタシステム３０の取付装置は、例えば、バイパスフィルタアセンブリ３５で利用されるバイパスフィルタカートリッジではなく、正しいフィルタカートリッジ３８をフィルタボウル３６に確実に取り付けることによって装置を保護する。例示のロックアウト機構の詳細は、本明細書の第Ｋ章で説明される。
【００２５】
フィルタシステム３０の点検整備の間にフィルタボウル３６からろ過された液体の排出を可能する自動排液弁機構をフィルタシステム３０に含めることができる。自動排液弁機構は、フィルタカートリッジ３８をフィルタボウル３６から取り外す前に、フィルタボウル３６からの排液を可能する。例示の実施例は、本明細書の第Ｌ章で説明される。
【００２６】
また、フィルタシステム３０は、この実施例において、カートリッジ保持機構を含む。この特徴によりフィルタアセンブリ３４がフィルタヘッド３２から完全に取り外された後で、フィルタボウル３６へのフィルタカートリッジ３８の取り付けを可能にする。第Ｍ章にカートリッジ保持機構の例示の実施例を記載する。
【００２７】
以下の記載は、機構を説明するために、特定の図示された実施例の様々な部品に対する記載であることを理解すべきである。この実施例の各部品の説明を記載した後に、上記および他の機能を提供するために、部品の相互作用の方法を記載する。また、使用、アセンブリ、ろ過方法および点検整備方法も記載する。例示の実施例だけを以下に示す。開示の範囲から逸脱せずにさまざまに実施することができる。図面をわかりやすくするために、各図には参照番号の全てを示さない。
【００２８】
Ｂ.  フィルタカートリッジ３８、図６、図７
図６と図７を参照すると、この構成物で使用可能なフィルタカートリッジ３８の１つの実施例を例示する。図示された実施例では、フィルタカートリッジ３８は、第１端部キャップ４１および対向する第２端部キャップ４２と、第１端部キャップ４１および対向する第２端部キャップ４２の間で伸びているフィルタ媒体４４の管状構造物とを含んでいる。図示された実施例では、フィルタ媒体４４は、構造物中で筒状であり、開いているフィルタ内部４６を画定する。フィルタ媒体４４は、ろ過すべき特定の流体に依存するさまざまな異なる種類のフィルタ媒体４４を使用することができる。図示された実施例では、フィルタ媒体４４は、ひだ付フィルタ媒体４８である。ひだ付フィルタ媒体４８は、例えば、セルロース、合成物、または合成物とセルロースとの混合物を含むことができる。
【００２９】
一般に、ろ過すべき流体は、開いているフィルタ内部４６中を流れる前に、流体から微粒子または他の残骸を取り除くように機能するフィルタ媒体４４を通って流れる。いくつかのシステムでは、ろ過すべき液体が開いているフィルタ内部４６からフィルタ媒体４４を通ってフィルタ媒体４４の外側領域まで流れるような反対流でフィルタシステム３０を運転することが可能である。
【００３０】
図示された第１端部キャップ４１は、開いているフィルタ内部４６に流体連絡している第１の開いている開口部５０を画定する。第１端部キャップ４１は、さらに、外側の軸方向表面５４から軸方向に突き出て伸びているネック５２を含んでいる。ネック５２は、ネック５２の外側の半径方向表面５８に沿って溝５６を画定する。第１シール部材６０は半径方向表面５８に沿って溝５６中でシールする。フィルタカートリッジ３８が、フィルタボウル３６と使用可能に係合したフィルタヘッド３２とフィルタシステム３０中で使用可能に組み立てられる場合に、第１シール部材６０はアダプター６４と取り外し可能なシール６２（図１１）を形成する。
【００３１】
第１端部キャップ４１は、第１の開いている開口部５０に並んでいる開口壁６６を画定する。図示される実施例における第１の開いている開口部５０は、円形であり、内径を画定する。ネック５２は、外側の半径方向表面５８と反対の側部上にある内側の半径方向表面６８とを画定する。図示された実施例では、第１端部キャップ４１は、さらにフィルタ媒体保持部７０を画定する。フィルタ媒体保持部７０は、フィルタ媒体４４に固定された第１端部キャップ４１の一部であり、その半径方向の側部上にフィルタ媒体４４を含む。図示された実施例では、フィルタ媒体保持部７０は、開口壁６６の一部を形成する内側の半径方向表面７４を画定する内側のフィルタ媒体壁７２を含む。内側フィルタ媒体７２の内壁表面７４は、ネック５２の内側の半径方向表面６８に対して半径方向の内側に間隔をあけて配置されている。フィルタ媒体保持部７０は、さらに、第１端部キャップ４１の残りの部分に外接する外側のフィルタ媒体壁７６を含む。第１端部キャップ４１は、図示された実施例において他の特徴をさらに含むが、その特徴は第２端部キャップ４２が説明された後で以下に説明する。
【００３２】
第２端部キャップ４２は、第１端部キャップ４１に対向するフィルタカートリッジ３８の端部にある。第２端部キャップ４２はフィルタ媒体４４の第２端部に固定されている。第２端部キャップ４２は開いているフィルタ内部４６と連絡する第２の開いている開口部７８を画定する。第２端部キャップ４２は、第２端部キャップのシール部材８０を保持する。
【００３３】
図示された実施例で、第２端部キャップ４２は、軸方向に伸びている第２ネック８２を画定する。第２ネック８２は、内側の半径方向表面８４および外側の半径方向表面８５を画定する。第２端部キャップの第２シール部材８０は、軸方向に伸びている第２ネック８２によって半径方向表面のうちの１つの上に保持されている。図示された実施例では、外側の半径方向表面８５によって保持されている。示された実施例では、第２ネック８２は、半径方向表面８５上に第２シール部材８０を保持する溝８６を含む。第２シール部材８０は、ディスク９０とともに取外し可能なシール８８（図１２）を形成する。ディスク９０は、フィルタボウル３６に固定され、以下でさらに説明される。
【００３４】
フィルタカートリッジ３８は、示された実施例ではさらに、フィルタヘッド３２に対してフィルタカートリッジ３８を中心に配置するのを補助する中央構成物９２（図５）を含んでいる。示された実施例では、中央構成物９２は、第１端部キャップ４１の外側の軸方向表面５４から軸方向に伸びる複数のスタンドオフまたは突起物９４を含んでいる。示された実施例では、突起物９４は第１突起物９５と第２突起物９６の両方を含んでいる。第２突起物９６は第１突起物９５より高い。第２突起物９６は、Ｌ形状断面を有し、好適な実施例では強さを加えるためにリブまたはフランジ９８を有する。第２突起物は、アダプター６４（図１１）の適所にフィルタカートリッジ３８を保持するのを助ける。図１１で示されるように、アダプター６４は第２突起物９６と第１ネック５２との間に収容される。
【００３５】
図示された実施例では、フィルタカートリッジ３８は、さらに、保持機構１００を含んでいる。図示された実施例では、保持機構１００は、第１ネック５２から軸方向と半径方向の両方に間隔をあけて配置されている。保持機構１００は、点検整備の間、フィルタボウル３６をフィルタカートリッジ３８に保持するために他の構造と協力する。この作動の詳細は本明細書の第Ｍ章で以下に議論する。
【００３６】
図示された実施例では、保持機構（retention mechanism）１００は、第１の開いている開口部５０中で半径方向の中心に配置される。さまざまな実施が想定されるが、示された実施例では、保持機構１００は、第１端部キャップ４１の一部、例えば、第１ネック５２に固定された半管状構成物１０２（図５）を含む。用語「半管状」は、図５などの平面図で見るとき、総合的に一般的な管状形状であるが、閉じた周囲を有する必要はなく、周囲は不規則な非円形形状を形成するか、または示されたいくつかの実施例では、円形状を形成することができることを意味する。
【００３７】
また図５を参照すると、半管状構成物１０２は、つかみ構成物（gripper arrangement）１０４と解放構成物（release arrangement）１０６とを有する。一般に、つかみ構成物１０４は、フィルタシステム３０を点検整備するとき、フィルタカートリッジ３８がフィルタボウル３６中で保持されたままでいるのを可能にするために、フィルタボウル３６中の他の構成物と取り外せる接続を提供するのに役立つ。解放構成物１０６は、点検整備の間、フィルタボウル３６からフィルタカートリッジ３８を取り外し、フィルタカートリッジ３８をフィルタボウル３６から取り除くのを可能にするために、便利で、迅速で、使い易い機構を提供するのに有用である。
【００３８】
本明細書で実施されるように、つかみ構成物１０４は、端部キャップの開口部５０中の半径方向に伸びている１組の対向する指部１０８、１０９を含む。本明細書の第Ｍ章で以下に説明するように、指部１０８、１０９は、フィルタボウル３６中で構造（１つのコア部分２２２の一部であるボタン３２６）と係合する（かみあう）。
【００３９】
本明細書で実施されるように、解放構成物１０６は、１組の対向するタブ１１１、１１２を含む。示された実施例では、各タブ１１１、１１２は指部１０８、１０９に対して約９０度の角度の位置に配置されている。タブ１１１は、リブ１１４を通して指部１０８に接続され、タブ１１２は、リブ１１５を通して指部１０９に接続されている。
【００４０】
タブ１１１、１１２は、互いに向かう方向に押すかまたは圧縮可能であり、リブ１１４、１１５によりタブ１１１、１１２に対して指部１０８、１０９を接続するために、タブ１１１、１１２を互いに向う方向に強く押すと、リブ１１４、１１５は互いに離れる方向に指部１０８、１０９を動かす。互いに離れる方向に指部１０８、１０９を動かすと、フィルタカートリッジ３８はフィルタボウル３６の対応する構造から外れる。
【００４１】
フィルタカートリッジ３８は、さらに、第１の開いている開口部５０中に伸びている突起物構成物１１８（図５）を含んでいる。突起物構成物１１８は、１つの実施例では、以下の第Ｋ章で記載されるロックアウト構成物と協力する。図示された実施例では、突起物構成物１１８は、開口壁６６から第１の開いている開口部５０中に伸びている第１突起物１２１と第２突起物１２２とを少なくとも含んでいる。図６と図７を見直すことによって、好適な実施例では、第１突起物１２１が開口壁６６に沿って垂直方向に第２突起物１２２から間隔をあけて配置されていることを見ることができる。すなわち、示された実施例では、第１突起物１２１は、第２突起物１２２より垂直方向に低く配置されている。図６と図７を見直すことによって、第１突起物１２１が第２突起物１２２から開口壁６６に沿って周囲方向に間隔をあけて配置されていることをさらに理解することができる。好適な実施例では、第１突起物と第２突起物の間の垂直距離は、第１の開いている開口部５０の内径の２〜３０％の間の長さである。
【００４２】
好適な実施例では、第１突起物１２１は、第１の開いている開口部５０中に第１の開いている開口部５０の内径の４０％以下の長さで伸びている。同様に、第２突起物１２２は、第１の開いている開口部５０中に第１の開いている開口部５０の内径の４０％以下の長さで伸びている。図示された好適な実施例では、第１突起物１２１と第２突起物１２２は、第１の開いている開口部５０中に同じ量で伸びている。他の実施例では、第１突起物１２１と第２突起物１２２の一方が他方より長い場合がある。
【００４３】
ここで、図５を注目する。図５は、フィルタカートリッジ３８の平面図である。図示された実施例では、突起物構成物１１８は、さらに、開口壁６６から第１の開いている開口部５０中に伸びている少なくとも第３突起物１２３を含んでいる。第３突起物１２３は第１突起物１２１と第２突起物１２２とから周囲方向に間隔をあけて配置されている。第３突起物１２３は第１突起物１２１または第２突起物１２２のどちらかから垂直方向に間隔をあけて配置されている。言い換えれば、第３突起物１２３は、第１突起物１２１または第２突起物１２２のどちらかと開口壁６６に沿って同じ垂直方向の距離に均等に間隔をあけて配置されている。
【００４４】
図５の図示された実施例では、突起物構成物１１８は、さらに少なくとも第４突起物１２４を含むことを見ることができる。第４突起物１２４は、開口壁６６から第１の開いている開口部５０に伸びて示されている。第４突起物１２４は、第１突起物１２１、第２突起物１２２および第３突起物１２３から周囲方向に間隔をあけて配置されている。第４突起物１２４は、第１突起物１２１、第２突起物１２２、または第３突起物１２３のうちの２つから垂直方向に間隔をあけて配置されている。言い換えれば、第４突起物１２４は、第１突起物１２１、第２突起物１２２および、第３突起物１２３のうちの２つと同じ垂直方向の距離に配置されている。
【００４５】
図示された特定の実施例では、第３突起物１２３は、第２突起物１２２と第４突起物１２４から間隔をあけて垂直方向に配置されているが、第３突起物１２３は垂直方向に第１突起物１２１と同じ距離である。また、図示された特定の実施例では、第４突起物１２４は第２突起物１２２と垂直方向に同じ距離であり、第４突起物１２４は第１突起物１２１と第３突起物１２３から垂直方向に間隔をあけて配置されている。
【００４６】
また、図５の実施例は符号１２１で第１突起物を特定しているが、第１突起物は第３突起物１２３の物理的位置に配置することもできる。同様に、第２突起物は、図５に参照番号１２２で示されているが、第２突起物は第４突起物１２４で示される位置に配置することもできる。言い換えれば、１つの想定される実施例では、突起物構成物１１８は、１２１で示される突起物と１２２で示される突起物だけを含むことができる。別の変形例では、１２１だけおよび１２４だけの突起物を含むような突起物構成物１１８を含んでいる。別の突起物構成物１１８の変形例は、１２３と１２２だけの突起物を含む。別の変形例は、１２３だけおよび１２４だけの突起物を含むような突起物構成物１１８を含んでいる。図示された特定の実施例は、１２１、１２２、１２３、および１２４の４つの突起物を含むものとして突起物構成物１１８を有する。図５の実施例では、示された４つの突起物しかないが、追加の突起物をアセンブリ３４の他の特徴に協力するのを補助するために利用することができる。
【００４７】
示された実施例では、突起物構成物１１８に対して、第１突起物１２１、第２突起物１２２、第３突起物１２３および第４突起物１２４のうちの２つが、互いに４５度以内（例えば、１０〜２０度）の角度で周囲方向に間隔を空けて配置されており、第１突起物１２１、第２突起物１２２、第３突起物１２３および第４突起物１２４のうちの残りの２つが、互いに４５度以内（例えば、１０〜２０度）の角度で配置されている。図５に示す実施例では、第１突起物１２１と第２突起物１２２は、周囲方向に互いに４５度以内の角度で間隔をあけて配置されているが、第３突起物１２３と第４突起物１２４は、互いに周囲方向に間隔をあけて４５度以内の角度で配置されている。一般に、好適な実施例では、第１突起物１２１と第２突起物１２２は、互いに周囲方向に５０度以内の角度でで間隔をあけて配置されている。
【００４８】
いくつかの構成物では、突起物の１つは他の突起物に対して４５度以上の角度の位置に配置されている。例えば、突起物構成物１１８が１２１で第１突起物を含み、第２突起物は、第４突起物１２４が配置される場所に配置されているような実施例を考えると、そのような実施例では、突起物は互いに対して４５度以上の角度で配置されている。そのような場合、第１突起物１２１と参照番号１２４で特定される第２突起物は、互いに周囲方向に４５度以上の角度で間隔をあけて配置されていると言える。類似の実施例では、参照番号１２３で第１突起物と参照番号１２２を第２突起物を含み得る。
【００４９】
Ｃ.  フィルタヘッド３２とアダプタ６４
図１、図１１、および図３９に、フィルタヘッド３２の概略図を示す。図示された実施例のフィルタヘッド３２は、入口導管１２８（図１）と出口導管１３０を有する。図１に示す特定の実施例では、上記説明したように、フィルタヘッド３２は３つのフィルタアセンブリと接続して示されており、２つはフルフロー（全流）フィルタアセンブリ３４であり、１つはバイパスフィルタアセンブリ３５である。もちろん、これは１つの実施例であり、他の構成物は、フィルタヘッド３２に接続された１つのフィルタアセンブリ３４だけを含むことができる。フィルタヘッド３２は、ろ過すべき液体が入口導管１２８を通ってフィルタヘッド３２に流入し、次に、出口導管１３０を通ってフィルタヘッド３２を流出するような他の装置に接続されている。いくつかの実施例の構成物では、フィルタヘッド３２は、鋳造製の金属部品から作られている。
【００５０】
フィルタヘッド３２は、フィルタボウル３６と選択的に係合する適合構造１３２を含んでいる。図示された実施例では、適合構造１３２は、複数の複数のねじ山１３４を含む。複数のねじ山１３４は、フィルタヘッド３２の外側の半径方向表面に沿って存在するものとして図示されている。もちろん、複数のねじ山１３４は、フィルタヘッド３２の内側の半径方向表面上にも見つけることができる。さらに、フィルタヘッド３２にフィルタボウル３６を接続する他の方法は、当技術分野で一般に知られているものとして想定される。
【００５１】
図１１の実施例では、アダプター６４は、複数のねじ山１３６を通して出口導管１３０に接続しているのを見ることができる。この様に、複数のねじ山１３６による係合を通して選択的にアダプター６４をフィルタヘッド３２に固定することができる。また、例えば、フィルタヘッド３２にアダプター６４を圧入、接着、溶接、または統合する方法を含む他の方法を使用して、フィルタヘッド３２にアダプター６４を取り付けることができる。
【００５２】
図示された実施例では、アダプター６４は、中央の開いた開口部１４０に外接するファンネル（漏斗）１３８を含んでいる。筒状壁１４２がファンネル１３８から伸びている。筒状壁１４２は、第１ネック５２と第１端部キャップ４１の第２突起物９６との間に配置されている。筒状壁１４２は、シール６２（図１１）がフィルタカートリッジ３８とアダプター６４との間で形成される表面を提供する内側の半径方向表面１４４を画定する。
【００５３】
複数のリブ１４６がファンネル（漏斗）表面１３８の内壁から伸びている。この実施例では、複数のリブ１４６はロックアウト機構（以下の第Ｋ章参照）と協力する。ロックアウト機構では、フィルタカートリッジ３８がフィルタボウル３６中で使用可能に配置されていない場合に、フィルタボウル３６の一部にじゃまをし、かつリブ１４６とフィルタボウル３６内の構造との間で係合すると、フィルタヘッド３２がフィルタボウル３６とねじ山との間で係合するのを防ぐ。複数のリブ１４６が内側アセンブリ３６４の端部リム３１１、３５４と係合する場合の実施例に対して、図３９を参照して本明細書の第Ｋ章で以下により完全に記載する。
【００５４】
また、図１１を見直すと、シール１４８をフィルタヘッド３２上に使用可能に取り付ける場合に、フィルタヘッド３２がフィルタボウル３６とシール１４８を形成することを見ることができる。
【００５５】
Ｄ.  フィルタボウル３６  図８
ここで、フィルタボウル３６の斜視断面図を示す図８を参照する。図示された実施例では、フィルタボウル３６は、フィルタカートリッジ３８を収容して保持するための開いている内部容積部１５２を画定する周囲壁１５０を含んでいる。
【００５６】
フィルタボウル３６は、フィルタボウル３６をフィルタカートリッジ３８に選択的に挿入しかつフィルタボウル３６からフィルタカートリッジ３８を選択的に取り除くのを可能するために、１つの端部で開いている口部１５４を有する。開いている口部１５４の対向する端部に、開口部１５８を画定する閉じた端部１５６がある。好適な実施例では、開口部１５８は排液開口部構成物１６０の一部を形成するために協力する。
【００５７】
示された実施例では、閉じた端部１５６は、フィルタボウル３６がチッピングなしにショップベンチなどの水平面に立てられるのを可能するために、一般に、平らな基部１６２を有する。この実施例では、端部１５６は、さらに、レンチなどの道具と協力して使用する平らな側部表面１６４（図１）を含む。
【００５８】
本明細書で複数のねじ山１６８として図示される適合構造１３２は、口部１５４に隣接して配置される。複数のねじ山１６８は、フィルタヘッド３２とフィルタボウル３６の取り付けおよび取り外しを可能するためにフィルタヘッド３２の複数のねじ山１３４と選択的に係合可能である。もちろん、複数のねじ山１６８は、内部壁上のフィルタヘッド３２上に複数のねじ山１３４がある状態で、外壁上にあり得る。また、図８において、周囲壁１５０の内側の半径方向表面上の溝１７２中に保持されたシール部材１７０が見える。シール部材１７０は、フィルタヘッド３２とともにシール１４８（図１１）を形成する。
【００５９】
図示された実施例では、フィルタボウル３６の閉じた端部１５６は、ディスク保持溝１７４を含む。ディスク保持溝１７４は、閉じた端部１５６で周囲壁１５０の内部表面上の床１７６によって画定される。ディスク保持溝１７４は、フィルタボウル３６の周囲壁１５０の内側表面の床１７６から軸方向に伸びているディスク９０を支える。
【００６０】
図８の実施例では、ディスク９０は、少なくともフィルタカートリッジ３８の一部を収容するように作られて配置されているカートリッジ収容トレー１８０を含んでいる。好適な実施例では、カートリッジ収容トレー１８０はフィルタカートリッジ３８の軸方向に伸びている第２ネック８２を収容し、そこでシール８８（図１２）を形成する。図８では、カートリッジ収容トレー１８０は、外側リング１８２、内側リング１８４、およびその間の基部１８６を含んでいる。図１２に示された実施例では、シール８８は、ネック８２と外側リング１８２の内側の半径方向表面１８８との間に形成される。
【００６１】
基部リング１９０は、カートリッジ収容トレー１８０の下方の軸方向に伸びており、ディスク保持溝１７４中に保持されて固定されている。図８と図１２で見ることができるように、基部リング１９０は、床１７６からディスク９０の残りの部分を保持し、基部１８６と床１７６との間の体積部１９２（図１２）への液体の流れを可能にする。基部リング１９０は通し孔１９４（図１２）を含み、流体の流れが体積部１９２から基部リング１９０を通って排液開口部構成物１６０に向かう方向に流れるのを可能にする。
【００６２】
図８に示す実施例では、ディスク９０は、さらに第２の内側リング１９６を含んでいる。第２の内側リング１９６は、内側リング１８４の半径方向の内側に間隔をあけて配置されている。内側リング１８４と第２の内側リング１９６の間に配置される空間は、以下でさらに記載される多孔性の内側フィルタ支持体２００を収容する。示された実施例では、ディスク９０は、さらに、内側の第２リング１９６の半径方向の内側に配置された第３の内側リング２０２を含んでいる。第３の内側のリング２０２は、シール表面を提供する内側の半径方向表面を有し、排液弁ハウジング２０６（図１３と１５）とディスク９０との間で第１弁シール２０４を形成する。
【００６３】
Ｅ.  多孔性の内側フィルタ支持体２００
例えば図３、図４、図８、図９、図１１、および図１８を含む様々な図に、多孔性の内側フィルタ支持体２００の実施例を示す。内側フィルタ支持体２００の一部は、他の図で見ることができる。多孔性の内側フィルタ支持体２００は、フィルタカートリッジ３８の開いているフィルタ内部４６（図６）中に配置される。さらに、図示された実施例では、多孔性の内側フィルタ支持体２００は、フィルタボウル３６の開いている内部容積部１５２に配置される。図示された特定の実施例では、内側フィルタ支持体２００は、内側リング１８４と第２内側ディスク１９６との間でディスク９０に固定して、フィルタボウル３６に固定する。他の実施例では、内側フィルタ支持体２００は、例えば、フィルタボウル３６の床１７６でフィルタボウル３６に直接に固定することができる。内側フィルタ支持体２００は、接着、圧入、ステーキング（ポンチ止め）、溶接または、内側フィルタ支持体２００とフィルタボウル３６は、一体化できるさまざまな技術によりディスク９０に永久的に固定することができる。別の実施例では、ディスク９０と内側フィルタ支持体２００は、同じ一体の部分であり得る。
【００６４】
例示の実施例において、内側フィルタ支持体２００は多孔性の壁２０８を含んでいる。多孔性の壁２０８は、これを通る複数の流路２１０（図８、９、および１８）を画定する。使用中に、内側フィルタ支持体２００は、フィルタ媒体４４の開いているフィルタ内部４６と並ぶことによってフィルタ媒体４４を支持するのを補助する機能を有し、流路２１０は、ろ過された液体が多孔性の壁２０８中のろ過した液体容積部２１２（図３，４）中に流れるのを可能にする。
【００６５】
好適な実施例では、内側フィルタ支持体２００の多孔性の壁２０８は、内側フィルタ支持体２００の内側容積部に向かう方向で半径方向内側に伸びている複数のガイドレール２１６を含む。図８と図９の断面図で、ガイドレール２１６の断面が図示され、ガイドレール２１６の半分だけをみることができる。図１９〜２２では、ガイドレール２１６の上側端部を見ることができる。図１９〜２２では、ガイドレール２１６の上側端部は、多孔性の壁２０８の残りの部分から伸びている突起物２１８として機能する。突起物２１８は、以下に説明するロックアウト機構と協力する。ガイドレール２１６の間に、滑走通路２２０（図８）が形成され、以下で詳しく記載するようにコア部分２２２の一部（例えば、フィン３３６）を滑走可能に保持するのを補助する。図８で見ることができるように、ガイドレール２１６は、内側フィルタ支持体２００の多孔性の壁２０８に沿って少なくとも部分的な長さで伸びている。図８では、ガイドレール２１６は、内側フィルタ支持体２００の自由端部２２４から内側フィルタ支持体２００の全長のほぼ中間点の途中まで伸びているのが示される。
【００６６】
図示された実施例では、多孔性の内側フィルタ支持体２００は、さらに、内部に伸びているショルダーまたは支持部２２６を含んでいる。内側に伸びている支持部２２６は、多孔性の壁２０８から半径方向の内側に伸びていて、上側表面２２８と下側表面２３０とを含んでいる。支持部２２６は、内側フィルタ支持体２００の多孔性の壁２０８内で壁に沿って周囲方向に伸びているのど（スロート）または開口部２３２を画定する。内側に伸びる支持部内の開口部２３２は、コア部分２２２の一部がコア部分２２２を適所に保持するのを補助するためにコア部分２２２の一部（例えば、ヘッド３０２）と協力してその中で滑走するのを可能にする。また、開口部２３２は、自動排液機構と協力するのを補助し、自動排液機構は以下の第Ｌ章で記載される。
【００６７】
Ｆ.  排液弁アッセンブリ２３６  図１３
また図示されたフィルタシステム３０は、点検整備の間に、完全にアセンブリ中の液体が自動的に排出されるのを可能にする排液弁アセンブリ２３６（図１３）を有する。排液弁アセンブリ２３６は、例示の実施例における他の特徴と独立して実施することができる。例えば、排液弁アセンブリ２３６は、ロックアウト機構とカートリッジ保持機構１００と独立して実施することができる。
【００６８】
ここで、図１２と１３に注目する。図１２と１３では、フィルタカートリッジ３８は、フィルタボウル３６で使用可能に配置されており、フィルタボウル３６はフィルタヘッド３２上で完全にねじ山に取り付けられている。この条件で、排液弁アセンブリ２３６は、シール位置２３８にある。シール位置２３８で、第１プラグシール２４０と第２プラグシール２４２とが適所に配置されている。
【００６９】
排液弁アセンブリ２３６は、プラグ２４４を含む。プラグ２４４は、シール位置２３８（図１１と１２）と排液位置２４６（例えば、図９と図１０）との間で移動可能である。シール位置２３８は、フィルタボウル３６の内部容積部１５２と排液開口部構成物１６０との間で流体が流れるのを妨ぐプラグ２４４を含んでいる。排液位置２４６は、フィルタボウル３６の内部容積部１５２から排液開口部構成物１６０への流れを可能にするために、フィルタボウル３６に配置されたプラグ２４４を含んでいる。
【００７０】
図１３〜１５は、排液弁アセンブリ２３６の例示の実施例を示している。図１３は排液弁アセンブリ２３６の分解斜視図を示しており、図１４は排液弁アセンブリ２３６を組み立てた後の排液弁アセンブリ２３６の平面図である。図１５は、排液弁アセンブリ２３６を組み立てた後の排液弁アセンブリ２３６の断面斜視図である。
【００７１】
さまざまな実施例を使用することができるが、図１３〜１５に図示された実施例では、排液弁アセンブリ２３６は、弁ハウジング２４８を含んでいる。弁ハウジング２４８は、開口部２５２を画定する一般的な管状壁２５０を含んでいる。開口部２５２は、プラグ２４４がその中で軸方向に移動できるように、プラグ２４４を収容する。管状壁２５０は、長手方向に伸びている１組の溝２５４を画定し、プラグ２４４上に対応するリブ２５６を収容するように作られて配置されている。管状壁２５０は、さらに、横部分２６０を含む細長いスロット２５８を含む。細長いスロット２５８は、プラグ２４４から突き出ているリブ２６２を収容する。リブ２６２は、プラグ２４４が弁ハウジング２４８から開口部２５２を通って飛び出すのを妨ぐのを補助するフックまたは延長部分２６４を有する。
【００７２】
また図１３〜図１５を参照すると、図示された弁ハウジング２４８は、さらに基部２６６を含んでいる。基部２６６は、フィルタボウル３６の開口部１５８（図８）中に保持され、その中で適切に配置されると、フィルタボウル３６の平らな基部１６２の一部を形成する。壁２６８（図１５）は、基部２６６から垂直に伸びている。壁２６８は、示された実施例では、フィルタボウル３６の開口部１５８中に取り外し可能に取り付けできるようにねじ山で取り付けられている。弁シール部材２７０は、壁２６８に沿って配置されている。シール部材２７０は、フィルタボウル３６と第２弁シール２７２（図８）を形成する。第２弁シール２７２は、流体がフィルタボウル３６から開口部１５８を通って流れるのを防ぐ。
【００７３】
第１弁シール２０４はすでに説明した。第１弁シール２０４は、弁ハウジング２４８の溝２７６中に保持されるシール部材２７４によって形成される。シール部材２７４は、フィルタボウル３６に接続されたディスク９０と第１弁シール２０４（図８）を形成し、ろ過していない流体がフィルタ媒体４４を迂回して、開いているフィルタ内部４６に流れるのを防ぐ。
【００７４】
また図１５を参照すると、図示された弁ハウジング２４８において、上側基部２７８が壁２６８から伸びている。上側基部２７８は、示された実施例では、一般に基部２６６と平行であるが、半径方向に間隔をあけてかつ垂直方向に間隔をあけて配置されている。内壁２８０は、上側基部２７８から下向きに伸びている。内壁２８０は、排液開口部構成物１６０の排液部２８２（図８）を形成する。
【００７５】
すきま壁２８４（図１３）は、上側基部２７８から上向きに伸びている。すきま壁２８４は、すきま壁２８４を通って液体が流れるのを可能するために開口部２８６を有する。
【００７６】
また図１３〜１５を参照すると、バネ２８８は、弁ハウジングの管状壁２５０の周りで使用可能に配置され、プラグ２４４の一部を押している。特に、バネ２８８は、弁ハウジング２４８の管状壁２５０から外側に伸びているリブ２９０の間に配置されている。バネ２８８は、排液位置２４６に対応する図１５の位置中にあるプラグ２４４を片寄らせる（biase）。プラグ２４４は、弁ハウジング２４８の開口部内でバネ２８８の圧縮によりシール位置２３８に向かう方向に動くことができる。
【００７７】
排液弁アセンブリ２３６は、さらに、第１プラグシール２４０（図１２）を形成するように、プラグ２４４に固定された第１プラグシール部材２９４を含んでいる。第１プラグシール２４０は、プラグ２４４がシール位置２３８（図１２）にあるとき、ろ過されていない流体がフィルタ媒体４４を迂回して、開いているフィルタ内部２４６に流れるのを防ぐ。排液弁アセンブリ２３６は、さらに、弁ハウジング２４８の内壁２８０と第２プラグシール２４２（図１２）を形成するように、プラグ２４４に固定された第２のプラグシール部材２９６を含んでいる。第２のプラグシール２４２は、液体がフィルタボウル３６から排液開口部構成物１６０の排液部２８２に流れるのを防ぐ。
【００７８】
また図１３〜１５を参照すると、図示された実施例では、プラグ２４４は、フランジ２９２によって外接する収容部２９８を含む。収容部２９８は、プラグ２４４のシール端部３００（図１５）と対抗するプラグ２４４の端部にある。収容部２９８は、一般に、フィルタボウル形状であり、さらに以下に記載されるコア部分２２２の一部（コア部分ヘッド３０２）と係合して収容するように作られて配置されている。
【００７９】
コア部分２２２の詳細は、以下でさらに説明する。コア部分２２２の一部は、コア部分ヘッド３０２（図８、１１、および１２）を含んでいる。排液弁アセンブリ２３６がシール位置２３８にあるとき、コア部分ヘッド３０２はプラグ２４４と係合する。コア部分ヘッド３０２がプラグ２４４から離れる方向に移動する場合、バネ２８８がプラグ２４４を排液位置２４６まで動くのを可能にする状態で、プラグ２４４が内側フィルタ支持体２００の内部中で軸方向に動くのを可能にする。
【００８０】
自動排液弁アセンブリ２３６の操作に関する詳細は、第Ｌ章で以下にさらに記載される。
【００８１】
Ｇ.  バスケット３０４
図２４を注目する。バスケット３０４が斜視図で示されている。バスケット３０４は、他の様々な図で見ることができ、図２４の斜視図は例示の実施例である。バスケット３０４は、ロックアウト機構の一部であり、その機能は第Ｋ章で以下に完全に記載される。
【００８２】
示される実施例では、バスケット３０４は、バスケット基部３０８から伸びている少なくとも１つの片持ちばりの脚３０６を含んでいる。片持ちばりの脚３０６は、軸方向でフィルタボウル３６の閉じた端部１５６に向かう方向に伸びている。好適な実施例では、バスケット３４は複数の片持ちばりの脚３０６を含み、示されていた例示の実施例では、互いに対して均等に周囲方向に間隔をあけて配置されている４本の片持ちばりの脚３０６を有する。
【００８３】
さらに図示されたバスケット３０４の実施例では溝付壁３１０を含んでいる。溝付壁３１０は、一般に、シリンダ（円筒）を形成し、軸方向でフィルタボウル３６の開いている口部１５４に向かう方向で伸びている。一般に、溝付壁３１０は、フィルタカートリッジ３８の一部と係合するように作られて配置されており、フィルタカートリッジ３８と係合するとバスケット３０４を第１固定位置から固定されていない位置まで回転させる。第１固定位置は、少なくとも１本の片持ちばりの脚３０６が内側フィルタ支持体２００（図１９）上の突起物２１８と軸方向に隣接する位置である。固定されていない位置は、少なくとも１本の片持ちばりの脚３０６が突起物２１８を有する軸方向の側壁（abutment）から自由であり、フィルタボウル３６（図２１）の端部１５６に向かう方向にバスケット３０４が移動可能な位置である。
【００８４】
好適な実施例では、バスケット３０４は、第１固定位置（図１９）から第２固定位置（図２０）まで回転移動可能である。第２固定位置（図２０）では、少なくとも１本の片持ちばりの脚３０６は、内側フィルタ支持体２００の少なくとも１つの突起物２１８を有する側壁から部分的に自由であるが、まだその間で軸方向の妨害がある。
【００８５】
溝付壁３１０は、第１滑走表面３１４をもつ少なくとも第１溝３１２と、第２滑走表面３１８をもつ第２溝３１６とを有する。好適な実施例では、溝付壁３１０は、それぞれが第１滑走表面３１４を有する１組の第１溝３１２と、それぞれが第２滑走表面３１８を有する１組の第２溝３１６とを有する。図２４で見ることができるように、第１溝３１２の組は互いに約１８０度の角度の位置にあり、一方、第２溝３１６の組は互いに約１８０度の角度の位置にある。
【００８６】
第１溝３１２の第１滑走表面３１４は、フィルタカートリッジ３８に係合して第１固定位置から第２固定位置までバスケット３０４を回転させるように作られ配置されている。また、このバスケット３０４の回転は、第２溝３１６の第２滑走表面３１８をフィルタカートリッジ３８との係合にさらす。図１９と図２０を比較することによって、実施例を見ることができる。図１９では、バスケット３０４は第１固定位置にある。第１滑走表面３１４はフィルタカートリッジ３８との係合にさらされる。特に、第Ｋ章で以下にさらに説明するように、第１滑走表面３１４は、フィルタカートリッジ３８の第１突起物１２１に係合する。第３突起物１２３は、好適な実施例では、他の第１滑走表面３１４と係合する。第１突起物１２１は第１滑走表面３１４に係合し、上から見ると、バスケット３０４を時計回りに回転させる。バスケット３０４は、図２０に示された第２固定位置で回転する。次に、第２固定位置は、第２滑走表面３１８をさらす。第２滑走表面３１８は、好適な実施例では、それと係合する第２突起物１２２を有し、図２１に示された固定されていない位置に対して、上から見ると、バスケット３０４はさらに時計回りで回転する。好適な実施例では、第４突起物１２４は、他の第２滑走表面３１８と係合する。
【００８７】
図２４に示された実施例では、バスケット３０４は、さらに溝付壁３１０によって外接している中空カラムを含む。以下でさらに説明されるように、使用中に、中空カラム３２０は、ポスト３２２を収容するコア部分２２２の一部であり、以下の第Ｈ章で説明する。バスケット３０４は、さらに、中空カラム３２０と溝付壁３１０の間で伸びるウェブまたはフランジ３２４を含んでいる。
【００８８】
バスケット３０４の更なる操作は、第Ｋ章のロックアウト機構との関連で以下に説明する。
【００８９】
Ｈ.  コア部分２２２とバネ
いくつかの図は、コア部分２２２の実施例を示す。コア部分２２２は、内側フィルタ支持体２００の壁２０８の内部内でかつろ過された液体容積部２１２中で使用可能に配置されている。
【００９０】
以上説明されたように、示された実施例では、コア部分２２２はポスト３２２を含む。ポスト３２２の自由端部にボタン３２６が画定される。ネック３３０の形態で減少した寸法３２８がボタン３２６に隣接している。ポスト３２２はバスケット３０４の中空カラム３２０によって収容される。保持機構１００は、ボタン３２６でポスト３２２を係合する。特に、つかみ構成物１０４は、指部１０８、１０９にポスト３２２のネック３３０を係合し、ボタン３２６でポスト３２２を保持する。保持構成物１００の更なる操作上の詳細は、第Ｍ章で以下に説明する。
【００９１】
前に説明されたように、ポスト３２２は、さらにボタン３２６の対向する端部にコア部分ヘッド３０２を含む。示された実施例では、コア部分ヘッド３０２は、マッシュルーム形状であり、内側フィルタ支持体２００の内側に伸びているショルダーまたは支持部２２６に係合するように作られて配置されている。
【００９２】
コア部分２２２のヘッド３０２は、係合位置と解放位置との間で移動可能に配置されている。係合位置は、シール位置２３８にプラグ２４４を押し込むためにプラグ２４４の収容部２９８に配置されているコア部分ヘッド３０２を含む。解放位置は、プラグ２４４が排液位置２４６まで動くのを可能にするために、プラグ２４４の収容部２９８から間隔をあけて配置されているコア部分ヘッド３０２を含む。コア部分ヘッド３０２が解放位置にあるとき、コア部分ヘッド３０２上の半径方向フランジ３３２（図１０）は、内側に伸びている支持部（ショルダー）２２６の下側表面２３０に対して係合している。コア部分ヘッド３０２が係合位置（図１２）にあるとき、コア部分ヘッド３０２は、プラグ２４４に係合して、収容部２９８内に収容される。
【００９３】
示された実施例では、コア部分２２２は、さらに、フィン構成物３３４を含む。フィン構成物３３４は、ポスト３２２の中央の長手方向軸から半径方向に突き出す複数のフィン３３６を含む。好適な実施例では、フィン３３６は、ガイドレール２１６によって画定される各通路２２０内で滑走する。フィン３３６は、ガイドレール２１６中の通路２２０と協力して、コア部分２２２が、多孔性の内部フィルタ支持体で使用可能な配置位置と滑走位置を維持するのを確実にする。コア部分バネ３３８は、フィン構成物３３４と支持部（ショルダー）２２６の上側表面２２８（図１０）との間に使用可能に配置されている。バネ３３８は、多孔性の内側フィルタ支持体２００に対して軸方向の上側の方向でかつフィルタボウル３６の開いている口部１５４に向かう方向のコア部分２２２に力を加える。
【００９４】
ここで図１７〜２２を参照すると、コア部分２２２は、さらにバスケットホルダ３４０を含む。バスケットホルダ３４０は、バスケット３０４を支え、バスケット３０４が第１固定位置（図１９）から第２固定位置（図２０）および固定されていない位置（図２１）の間を移動するのを可能にする。示された実施例では、バスケットホルダ３４０は、開かれたフレーム３４２を含む。開かれたフレーム３４２は、脚を収容する開口部３４４（図２２）を画定し、脚を収容する開口部３４４に複数の脚を通過させることによってバスケットの複数の脚３０６がバスケットホルダ３４０を貫通できるようにする。バスケットホルダの開かれたフレーム３４２は、ポスト３２２に外接しているすきま壁３４６と、ポスト３２２にすきま壁３４６を結合するスポーク３４８（図２２）とを含む。隣接するスポーク３４８は、脚を収容する開口部３４４を画定する。
【００９５】
図２２を参照すると、アセンブリは、バスケットホルダ３４０内でかつ固定位置（図１９）にバスケット３０４を回転可能に片寄らすために、バスケット３０４のウェブまたはフランジ３２４の間で使用可能に配置されかつポスト３２２の周りに配置されたバネ３５０を含む。
【００９６】
すきま壁３４６は複数のスロット３５２を含む。スロット３５２は、１つの端部で開いており対向する端部で閉じている。すなわち、スロット３５２は、すきま壁３４６の端部リム３５４で開いて、すきま壁３４６の底部に隣接する閉じた端部３５６を有する。スロット３５２は、フィルタカートリッジ３８上の構造と協力するために滑走通路として機能する。
【００９７】
特に、第１スロット３６０は、第１突起物１２１または第３突起物に対する滑走通路３５８を形成し、第１突起物１２１または第３突起物１２３がバスケット３０４の第１滑走表面３１４と係合した後で、第１固定位置からバスケット３０４を回転する。バスケット３０４のこの回転は、次に、バスケット３０４の第１溝３１２に第１スロット３６０を並べる。
【００９８】
第２スロット３６２は、バスケット３０４が第２固定位置から固定されていない位置（図２１）まで回転した後で、第２突起物１２２または第４突起物１２４が滑走通路３５８内を滑走するのを可能にするように、第２溝３１６と並んで配置される。
【００９９】
Ｉ.  バイパスフィルタカートリッジ３９０  図３２
図３２にバイパスフィルタカートリッジ３９０の１つの実施例の断面図を示す。バイパスフィルタカートリッジ３９０は、フィルタボウル３９１（図１）がフィルタシステム３０にある状態で使用可能である。バイパスフィルタカートリッジ３９０は、第１端部キャップ３９３と第２端部キャップ３９４との間で取り付けられたフィルタ媒体３９２の領域を含む。第２端部キャップ３９４は、シール部材３９６を保持する軸方向に伸びているネック３９５を有する。
【０１００】
第１端部キャップ３９３は、好ましくは、フルフローフィルタアセンブリ３４のために、第１端部キャップ３９３がフィルタボウル３６中で使用可能に適合するのを防ぐように作られて配置されている。バイパスフィルタカートリッジ３９０とフルフローフィルタカートリッジ３８を交換すると壊滅的な結果をもたらし得る。したがって、構造は、この混乱を防ぐためように作られている。１つの構造は、以下で本明細書にさらに説明するロックアウト機構である。別のそのような機構は、第１端部キャップ３９３の構造である。第１端部キャップ３９３は、シール部材３９８を保持する直立する突起物３９７を含む。突起物３９７の高さは、フルフローフィルタアセンブリ３４の位置でフィルタヘッド３２に使用可能に突起物３９７が係合できない高さである。
【０１０１】
バイパスフィルタカートリッジ３９０では、必要に応じて、上記説明した保持機構１００に類似するカートリッジ保持機構３９９を含むことができる。また、さらに、上記説明された突起物構成物１１８と類似する突起物構成物４００を含むことができる。
【０１０２】
Ｊ.  アダプタ構成物４０２  図３３〜３８
ここで図３３〜３８を注目すると、アダプター構成物４０２の様々な実施例が図示されている。図３３は、アダプター構成物４０２を取り付ける工程を含む使用方法を図示している。
【０１０３】
アダプター構成物４０２の第１実施例は、図３３と図３４にアダプターリング４０４として示されている。第２実施例は、図３５と図３６にアダプターリング４０４’として、第３実施例は図３７と３８にアダプターリング４０４”として示されている。アダプターリング４０４、４０４'、４０４”は、共通の参照数字で示す共通の特徴を持っており、差異は異なる参照番号で示す。
【０１０４】
アダプターリング４０４、４０４'、４０４”は、開いた開口部４０８を画定する円形バンド４０６を含む。図示の実施例では、円形バンド４０６は一般に円形であり、一般に円形の開いた開口部４０８を画定する。円形バンド４０６は、外側の半径方向表面４１０と対抗する内側の半径方向表面４１２を有する。内側の半径方向表面４１２は、開いた開口部４０８に並び、開口壁４１４を画定する。
【０１０５】
突起物構成物４１６は、円形バンド４０６から伸びている。好ましくは、突起物構成物４１６は、開口壁４１４から開いた開口部４０８中に伸びている少なくとも第１突起物４２１と第２突起物４２２を含む。第１突起物４２１は、第２突起物４２２から開口壁４１４に沿って垂直方向に間隔をあけて配置されている。第１突起物４２１はまた、第２突起物４２２から開口壁４１４に沿って周囲方向に間隔をあけて配置されている。
【０１０６】
好ましくは、第１突起物４２１は、開いた開口部４０８中に開口部４０８の内径の４０％以下の長さで伸びている。同様に、第２突起物４２２は、開いた開口部４０８の開口部４０８中に開口部４０８の内径の４０％以下の長さで伸びていることは好ましい。好ましくは、第１突起物４２１と第２突起物４２２との間の垂直距離は、開いた開口部４０８の内径の２〜３０％の長さである。
【０１０７】
第１突起物４２１と第２突起物４２２突起物４２２は周囲方向に互いに５０度以内の角度で間隔をあけて配置されている。また、第１突起物４２１と第２突起物４２２が互いに対して４５度以上の角度で配置されるように、第１突起物４２１と第２突起物４２２を配置することは可能である。
【０１０８】
示された実施例では、突起物構成物４１６は、さらに、開口壁４１４から開いた開口部４０８中に伸びている第３突起物４２３を含んでいる。第３突起物４２３は、周囲方向に第１突起物４２１と第２突起物４２２から間隔をあけて配置されている。また、第３突起物４２３は、第１突起物４２１または第２突起物４２２のどちらかの１つだけから垂直方向に間隔をあけて配置されている。
【０１０９】
図示された実施例では、開口壁４１４から開いた開口部４０８中に伸びている少なくともも第４突起物４２４がある。第４突起物４２４は、周囲方向に第１突起物４２１、第２突起物４２２、第３突起物４２３から間隔をあけて配置されている。また、第４突起物４２４は、第１突起物４２１、第２突起物４２２または第３突起物４２３のうちの少なくとも２つだけから垂直方向に間隔をあけて配置されている、すなわち、第４突起物４２４は、第１突起物４２１、第２突起物４２２または第３突起物４２３のうちの２つだけと垂直方向に均等に配置されている。
【０１１０】
示された実施例では、第１突起物４２１、第２突起物４２２、第３突起物４２３および第４突起物４２４のうちの２つは、互いに１５度以内の角度で周囲方向に間隔をあけて配置されており、残りの２つは、互いに１５度以内の角度で周囲方向に間隔をあけて配置されてる。
【０１１１】
図３５と図３６で図示されたアダプターリング４０４'の実施例は、バンド４０６が長い垂直壁４３０を有する点で図３３と図３４中のアダプターリング４０２の実施例と異なっている。この長い垂直壁４３０は、ある構成物で役に立つ場合がある。
【０１１２】
図３７と図３８のアダプターリング４０４”の実施例は、さらにカートリッジ保持機構４４０を含んでいる。保持機構４４０は、保持機構１００に類似しており、指部４４３、４４４を含むつかみ構成物４４２を含んでいる。さらに、保持機構４４０は、対向するタブ４４７、４４８を含む解放構成物４４６を含む。
【０１１３】
図３３は、コア部分２２２と内側フィルタ支持体２００を取り外すためにアダプター構成物４０２を使用する技術を示している。アダプタ構成物４０２は、端部キャップ４１上に突起物構成物１１８を持っていないフィルタカートリッジを使用することができるように補助するという点で時々役に立つ。例えば、実験室または屋外で、異なるろ過性能を有するが突起物構成物１１８がないフィルタカートリッジを検査するのが好ましい場合がある。そのような状況では、アダプター構成物４０２は役に立つ。
【０１１４】
図３３では、矢４５０は、アダプターリング４０４が内側フィルタ支持体２００に対して取り付けられていることを示す。アダプターリング４０４は、一般に、バスケット３０４に係合するように内側フィルタ支持体２００上に取り付ける。次に、フィルタカートリッジ４５２をその上に取り付けることができる。一般に、アダプターリング４０４は、フィルタカートリッジ４５２と内側フィルタ支持体２００との間に配置されている。示された実施例では、アダプターリング４０４は、次に、カートリッジ４５２の第１端部キャップ４５４の開口部中に配置される。
【０１１５】
使用中に、アダプターリング４０４は、フィルタボウル３６に配置され、第２突起物４２２がバスケット３０４に係合するのを可能にするように、第１突起物４２１をバスケット３０４に対して押す。バスケット３０４に対する第２突起物４２２の係合は、次に、内側フィルタ支持体２００上の突起物２１８（図１９）に対してバスケット３０４を回転させる。これは突起物２１８に対してバスケット３０４の脚３０６をとり取り外す。脚３０６が突起物２１８の拘束から自由になると、コア部分２２２は内側フィルタ支持体２００に対して軸方向に動くことができる。
【０１１６】
Ｋ.  ロックアウト機構の使用方法
上記説明したように、フィルタシステム３０において、フィルタカートリッジ３８がフィルタボウル３６中で使用可能に組み立てられていない場合に、フィルタシステム３０が使用できないことを確実にする機構を有することは好ましい。さらに、図示された特定のシステム３０では、２種類以上のフィルタアセンブリがあり、ユーザがフィルタカートリッジを混同すると損害を引き起こすことになる。ロックアウト機構は両方の目的を実現する。
【０１１７】
最初に、フィルタボウル３６、内側フィルタ支持体２００、コア部分２２２、およびフィルタヘッド３２を図示する図３９を参照する。図３９には、フィルタボウル３６中にフィルタカートリッジ３８はない。点検整備の間、例えば、フィルタボウル３６は、その中に取り付けられたフィルタカートリッジ３８を持たない。また、図８は、フィルタカートリッジ３８をその中に取り付けられていないフィルタボウル３６を図示している。
【０１１８】
図８、図１８、図１９、および図３９では、バスケット３０４は、ポスト３２２の周りに適合しており、バスケット３０４は、バネ３５０の片寄りによって固定位置中に配置されている。特に、バネ３５０は、脚３０６と脚を収容する開口部３４４（図２２）との間の係合により、フランジ３２４とその力に対する抵抗力の間で働く回転力によって、バネがバスケット３０４を固定位置に片寄らすように配置している。図１９では、バスケット３０４が固定位置にあるとき、それぞれの脚３０６は、ガイドレール２１６の複数の端部によって形成された突起物２１８と係合する自由端部３０７を有する。
【０１１９】
この位置では、フィルタボウル３６中に取り付けられたフィルタカートリッジ３８がなければ、バスケット３０４の上側リム３１１とバスケットホルダ３４０の上側リム３５４は、アダプター６４のリブ１４６に接触または係合する。図３９が参照される。脚３０６が突起物２１８（この実施例では、ガイドレール２１６の端部）上で支えられているので、コア部分２２２とバスケット３０４は、フィルタボウル３６の閉じた端部１５６に向かう方向で軸方向の下向きに動くことはできない。全体の内側アセンブリ３６４は、伸びて硬くて曲がらない固定位置にある。図３９で見ることができるように、この硬く曲がらない固定位置で、フィルタヘッド３２は、フィルタヘッド３２上の複数のねじ山１３４とフィルタボウル３６上の複数のねじ山１６８との間の連結によってフィルタボウル３６と使用可能に連結することができない。
【０１２０】
点検整備の間、新しいフィルタカートリッジ３８が提供されると、開いている口部１５４を通してフィルタカートリッジ３８を配置することによって、フィルタカートリッジ３８はフィルタボウル３６中に配置される。フィルタカートリッジ３８がフィルタボウル３６中に適切に使用可能に配置されると、第１突起物１２１は、バスケット３０４の傾斜した第１滑走表面３１４と接触するまたは係合する。図１９、図２８、図２９、および図３０が参照される。２つ以上の突起物を有する実施例では、１つの可能性は、第１突起物１２１と第３突起物１２１の両方がバスケット３０４上の対応する第１滑走表面と係合する。第１突起物１２１がこの第１滑走表面３１４と係合すると、係合により第１突起物１２１はバネ３５０に対してバスケット３０４を回転させる。好適な実施例では、回転の角度は、４５度未満、例えば、５〜２０度である。これは、バスケット３０４を第１固定位置（図１９と３０）から第２固定位置（図２０）まで回転させる。バスケット３０４中の第１溝３１２は、バスケットホルダ３４０の第１スロット３６０と直線上に並ぶようになり、第１溝３１２は、結局、第１突起物１２１が下に滑走するのを可能にする。
【０１２１】
バスケット３０４が第２固定位置（図２０）まで回転すると、第２滑走表面３１８が露出する。第２突起物１２２は、第２突起物１２２が第２滑走表面３１８と接触または係合するように配置されている。第２滑走表面３１８との接触は、同様に、第４突起物１２４中に配置された突起物を通してなし得る。第２突起物１２２と第４突起物１２４の両方の位置に突起物を有する実施例では、次に、第２突起物１２２と第４突起物１２４の両方は、対応する第２滑走表面３１８と接触する。第２突起物１２２と第２滑走表面３１８との間の初期接触は、バスケット３０４をバネ３５０に対してバスケットの第２固定位置から固定されていない位置（図２１）まで回転させる。図２３、図２５、および図２７は、第２滑走表面３１８に対する第２突起物１２２の係合を示している。バスケット３０４の第２固定位置（図２０）から固定されていない位置（図２１）までの回転は、好ましくは、４５度未満、例えば、５〜２０度の角度である。固定されていない位置まで回転すると、第２溝３１６と第２スロット３６２が並び、結局、その中で下向きの第２突起物１２２の軸方向の滑りを可能にする。
【０１２２】
バスケット３０４が固定されていない位置まで動くので、複数の脚３０６もまた回転し、ガイドレール２１６の端部によって生み出された複数の突起物２１８に対し係合から離れる方向に移動する。複数の脚３０６が複数の突起物２１８から完全に自由となると、閉じた端部１５６に向かう方向で軸方向の下向きにフィルタカートリッジ３８の追加の動きが、バスケット３０４とコア部分２２２をコア部分バネ３３８の反対の方向にもまた動かす。コア部分バネ３３８は、通常は、図８と図３９の伸びた位置中にバスケット３０４とコア部分２２２とを片寄らす。
【０１２３】
フィルタアセンブリ３４がフィルタヘッド３２上に取り付けられるとき、アダプター６４は、フィルタカートリッジ３８の第１端部キャップ４１上に力を作用し、フィルタカートリッジ３８をフィルタボウル３６と内側フィルタ支持体に対して下向きに動かす。フィルタカートリッジ３８をフィルタボウル３６の閉じた端部１５６に向かって下向きに動かすと、コア部分２２２もまた下向きに動く。次に、フィルタヘッド３２は、図１１に示されたように、安全な取り付けのためにフィルタボウル３６上の複数のねじ山１６８と適切に係合することができる。
【０１２４】
上記で特徴付けられたロックアウト機構は、フィルタボウル３６をフィルタカートリッジ３８など、フィルタボウルをフィルタカートリッジに取り付ける方法で利用することができることを理解すべきである。そのような方法で、フィルタカートリッジ３８は、フィルタボウル３６中に正しい方向で配置される。フィルタカートリッジ３６は、フィルタ媒体４４などのフィルタ媒体の管状の構造物を有する。フィルタボウル３６は、その中に取り付けられた多孔性の内側フィルタ支持体２００と多孔性の内側フィルタ支持体２００内のコア部分２２２とを有する。コア部分２００はバスケット３０４を保持する。この方法は、さらに、配置する間に、コア部分２２２と内側フィルタ支持体２００を取り外すためにバスケット３０４に対してフィルタカートリッジ３８を押しつける工程を有する。この工程は、例えば、バスケット３０４に対して突起物構成物１１８を押すことによって実施することができる。特に、第１突起物１２１を第１滑走表面３０４に対して押して、バスケット３０４を第１固定位置から第２固定位置まで回転させることができる。次に、第２突起物１２２は、第２滑走表面３１８と係合するようにある位置に配置されており、さらにバスケット３０４を第２固定位置から固定されていない位置まで回転させる。固定されていない位置は、脚３０６を突起物２１８との係合から脚３０６が突起物２１８との妨害（interference）が無い位置まで動かす。これによりコア部分２２２と内側フィルタ支持体２００との間の妨害を外す。次に、外した後に、この取付方法は、内側フィルタ支持体２００に対してフィルタカートリッジ３８とコア部分２２２の両方を軸方向に動かす工程を含む。
【０１２５】
この方法の設置工程は、点検整備工程中に組み込むことができ、この工程では、最初に、フィルタボウル３６がフィルタヘッド３２から取り除かれる。次に、フィルタカートリッジ３８がフィルタボウル３６から取り外される。この方法は、第Ｍ章で以下により詳しく記載される保持機構１００を使用する方法を用いることができる。点検整備の間、フィルタボウルは排液することができるが、このことは第Ｌ章でもまた記載される。
【０１２６】
次に、新しいフィルタカートリッジ３８が提供される。次に、上記説明されたフィルタカートリッジを取付ける方法が利用される。好ましい方法では、フィルタカートリッジ３８がバスケット３０４と内側フィルタ支持体２００との間の係合を取り外した後で、バスケット３０４とコア部分２２２を有するフィルタカートリッジ３８は、軸方向の下向きに動くことが可能となる。
【０１２７】
Ｌ.  排液弁機構
また、図示されたフィルタシステム３０は、フィルタシステム３０の点検整備の間に、アセンブリ中の液体を完全に自動的に排出するのを可能する排液弁機構を有する。排液弁機構は、例示の実施例の他の特徴から独立して実施することができる。
【０１２８】
図１１に示されるように、フィルタボウル３６がフィルタヘッド３２上でねじ山と完全に係合した状態で、フィルタカートリッジ３８がフィルタボウル３６中で使用可能に配置されている場合、プラグ２４４は、閉じたシール位置にある。この位置において、第１プラグシール２４０と第２プラグシール２４２が適所（図１２）に配置される。
【０１２９】
第１プラグシール２４０は、ろ過された液体の容量部２１２（図１２）中の清浄側に配置された液体を閉じこめ、ろ過されていない液体の容量部２１４中のろ過されていない液体が通し孔１９４（図１２）を通って流れるのを可能にする。第２プラグシール２４２は、液体を、外部環境に向けられる排液部２８２から、ろ過されていない液体の容量部２１４から閉じこめる。また、シール２０４（図１０）は、ろ過されていない液体容量部２１４からの液体がろ過された液体容量部２１２に到達するのを防ぐ。
【０１３０】
フィルタカートリッジ３８がフィルタボウル３６中に使用可能に配置され、フィルタヘッド３２がフィルタボウル３６と完全に係合して連結された状態で、アダプター６４が第１端部キャップ４１を押すと、アダプター６４はカートリッジ３８とバスケット３０４を保持するコア部分２２２と脚３０６とを多孔性の内側フィルタ支持体２００に対して軸方向の下向きに押す。コア部分２２２がフィルタボウル３６の閉じた端部１５６に向かう方向に動くと、コア部分２２２のヘッド３０２は、内部に伸びている支持部（ショルダー）２２６から離れる方向に移動し、プラグ２４４の収容部２９８に係合する。この軸方向の力は、プラグを弁・スプリング２８８に押しつけ、プラグ２４４は図１２のシール位置中に移動する。
【０１３１】
摩耗または吸蔵のためにフィルタカートリッジ３８を点検整備する時間となると、フィルタアセンブリ３４をフィルタヘッド３２に対してその中心軸の周りで回転される。これが起こると、フィルタアセンブリ３４は、フィルタボウル３６とフィルタヘッド３２の間でねじ山をゆるめる動作により中心軸に沿って下向きに動く。この下向きの動きが起こる間、コア部分バネ３３８は、コア部分２２２のフィン３３６を押す。これは、コア部分２２２を保持するカートリッジ３８をフィルタボウル３６に対して軸方向の上向きに動かす。コア部分ヘッド３０２が内側に伸びる支持部（ショルダー）２２６の下側表面２３０と係合して止まるとき、コア部分２２２の軸方向の上向きの動きは止まる。コア部分ヘッド３０２がプラグ２４４に作用しないとき、プラグ２４４が弁・スプリング２８８により排液部２８２から図１０の位置まで離れる方向に動くのを可能する。このことは、液体を排液経路矢３７０で示されるろ過された液体容量部２１２から排出するとともに、排液経路の矢３６８で示されるろ過されていない液体を液体容量部２１４から液体を排液部２８２を通って適切な廃棄容器によって捕集できる外部環境まで排出することを可能にする。この排液処理は、フィルタボウル３６に取り付けられたアセンブリ３４が残っている間にすることができる。
【０１３２】
記載された排液装置と共にフィルタアセンブリ３４から液体を排出する方法を使うことができることを理解すべきである。そのような方法の１つは、フィルタヘッド３２からフィルタカートリッジ３８を含むフィルタボウル３６のねじを少なくとも少し緩めて、コア部分バネ３３８がプラグ２４４をシール位置から排液位置まで移動させるのを可能にする工程を含む。フィルタボウル３６は、内部容積部１５２と排液開口部構成物１６０とを有する。シール位置は、フィルタボウル３６の内部容積部１５２と排液開口部構成物１６０中の流体出口部２８２との間で流体が流れるのを妨ぎかつフィルタカートリッジ３８の上流側とフィルタカートリッジ３８の下流側との間で流体が流れるのを妨ぐプラグ２４４を含んでいる。フィルタカートリッジ３８の上流側は、ろ過されていない液体容量部２１４に対応している。フィルタカートリッジ３８の下流側は、ろ過された液体容量部２１２に対応している。排液位置は、フィルタボウル３６の内部容積部１５２とフィルタボウル３６の流体出口部２８２との間で流体が流れるのを可能にするように配置されたプラグ２４４を含んでいる。フィルタボウル３６の流体出口部２８２は排液開口部構成物１６０の一部であり、図示された実施例では、その中に排液部２８２を有する弁ハウジング２４８を保持する。フィルタボウル３６のねじを少し緩める工程は、コア部分バネ３３８がコア部分ヘッド３０２を有するコア部分２２２をプラグ２４４との係合から軸方向に動かすのを可能にし、弁・スプリング２４８がプラグ２４４をシール位置から排液位置まで移動するのを可能にする工程を含む。
【０１３３】
フィルタアセンブリ３４がフィルタヘッド３２に取り付けられるとき、フィルタヘッドの一部（アダプター６４など）がフィルタカートリッジ（端部キャップ４１など）と係合すると、フィルタカートリッジ３８とそれに接続された構造を、フィルタボウル３６の閉じた端部１５６に向かう方向でコア部分バネ３３８に対して軸方向の下向きに押す。フィルタカートリッジ３８に接続された構造は、コア部分ヘッド３０２を有するコア部分２２２を含む。コア部分２２２は、内側フィルタ支持体２００に対して軸方向に動き、フィン３３６はガイドレール２１６の間の通路２２０中を滑走する。コア部分２２２が閉じた端部１５６に向かう方向に移動するので、コア部分ヘッド３０２は弁アセンブリ２３６に向かって動く。その結果、コア部分ヘッド３０２は、プラグ２４４の収容部２９８と係合し、バネ２８８に対してプラグ２４４を押し、プラグ２４４をシール位置２３８まで動かして、第１プラグシール２４０が形成され、第２プラグシール２４２が形成される。
【０１３４】
Ｍ.  カートリッジ保持機構１００
図示された好適な実施例では、フィルタシステム３０は、カートリッジ保持機構１００を含み、点検整備の間に、フィルタボウル３６中で取り外し可能にフィルタカートリッジ３８を保持する。カートリッジ保持機構１００は、ロックアウト機構および排液弁機構と独立しており、ろ過システムの他の特徴と独立に実施することができる。
【０１３５】
図２、図３、図４、図９および図１１は、それぞれ、つかみ構成物１０４で係合される保持機構１００が、コア部分２２２、特に、ボタン３２６のネック３３０に接続していることを示している。特に、指部１０８、１０９はネック３３０をつかんでおり、これにより、フィルタヘッド３２中でアダプター６４に接続されたままでいるよりもフィルタカートリッジ３８をフィルタボウル３６中に残すようにさせる。
【０１３６】
フィルタアセンブリ３４をヘッド３２から取り外すとき、フィルタカートリッジ３８は、つかみ構成物１０４の指部１０８、１０９とポスト３２２のボタン３２６との間の係合によって、フィルタボウル３６中につかまれたまま残る。フィルタボウル３６からフィルタカートリッジ３８を取り外すために、解放構成物１０６を作動する。特に、タブ１１１、１１２を、例えば、点検整備を提供する人の親指と人差し指を使用することによって、互い向かう方向でかつポスト３２２に向かう方向に一緒に強く押す。これにより、指部１０８、１０９は、ポスト３２２のネック３３０から離れる方向に移動することができ、指部１０８、１０がボタン３２６を解放する。点検整備する人の親指と人差し指は、タブ１１１、１１２上にあり、点検整備する人は、ここで、ボタン３２６から抜け出たフィルタカートリッジ３８を引き出し、フィルタボウル３６からフィルタカートリッジ３８を取り外すことができる。
【０１３７】
保持機構１００は、タブ１１１、１１２を強く押すとき、互いに離れて指部１０８、１０９のゆがみを提供するのに十分な可撓性のある物質で作ることができる。この物質はプラスチック材料であり得るが、他の材料でもよい。
【０１３８】
保持機構（システム）１００は、フィルタヘッド３２から、フィルタカートリッジ３８を含むフィルタボウル３６を含むフィルタアセンブリ３４を取り外す工程を含むフィルタシステム３０の点検整備方法で使用することができる。この方法は、次に、取り外し工程の間、互いに向かって半径方向に伸びている対向する指部１０８、１０９でボタン３２６をつかむことによって、フィルタボウル３６中にフィルタカートリッジ３８を保持する工程を含む。保持する工程の後に、対向するタブ１１１、１１２を互いに向かう方向に強く押し、ボタン３２６から指部１０８、１０９を取り外し、フィルタボウル３６からフィルタカートリッジ３８を取り外す。この方法は、さらに、対向するタブ１１１、１１２をつかんだまま、フィルタボウル３６からフィルタカートリッジ３８を引きだす工程を含む。つかむ工程は、フィルタカートリッジ３８と一体である対向する指部１０８、１０９を使用する工程を含んでいる。つかむ工程は、フィルタカートリッジ３８とコア部分２２２の間にアダプター４０４”の部分である対向する指部４４３、４４４を使用する工程を含み得る。
【０１３９】
ＩＩ.  図４０〜図５７の実施例
Ａ.  概要
図４０〜図５７は、フィルタアセンブリとフィルタヘッドを含むフィルタシステムの例示の実施例である。図示された特定の実施例は１つの実施例であるが、図に示されていない多くの実施例を予想できることを理解すべきである。図５０は、フィルタヘッド５３２とフィルタアセンブリ５３４を含むフィルタシステム５３０を示している。図４０では、フィルタアセンブリ５３４がフィルタボウル５３６と取り外し可能でかつ取替え可能なフィルタカートリッジ５３８を含んでいることを見ることができる。図４０は分解斜視図でフィルタシステム５３０の実施例を示している。図４１に、フィルタボウル５３６とフィルタカートリッジ５３８を含むフィルタアセンブリ５３４の斜視図を示す。
【０１４０】
図４０〜５７に示す実施例において、フィルタアセンブリ５３４は、ロックアウト機構、自動排液弁機構およびカートリッジ保持機構を含む特徴を有する。これらの特徴のそれぞれは、他の特徴から独立して実施することができる。図に示された特定の実施例は、同じフィルタアセンブリ５３４中に統合された３つの特徴すべてを示している。当業者は、各特徴が他の特徴から独立して実施できることを理解することができる。
【０１４１】
一般に、ロックアウト機構は、フィルタシステム５３０がフィルタカートリッジ５３８を取り付けずに誤って装置を運転しないのを確実にする。したがって、ロックアウト機構は、フィルタボウル５３６中に使用可能に配置されたフィルタカートリッジ５３８がない場合に、フィルタヘッド５３２とフィルタボウル５３６が使用可能に接続されないことを確実にすることでろ過装置を保護する機構である。例示のロックアウト機構の詳細は、本明細書の第Ｈ章に記載される。
【０１４２】
自動排液弁機構は、フィルタシステム５３０に含めることができ、フィルタシステム５３０を点検整備する間に、フィルタボウル５３６からろ過された液体を排液するのを可能にする。自動排液弁機構は、フィルタカートリッジ５３８がフィルタボウル５３６から取り外される前に、フィルタボウル５３６から排液するのを可能にする。例示の実施例は、本明細書の第Ｉ章に記載される。
【０１４３】
この実施例のフィルタシステム５３０は、また、カートリッジ保持機構を含んでいる。この特徴は、フィルタヘッド５３２をフィルタアセンブリ５３４から完全に外した後で、フィルタボウル５３６へのフィルタカートリッジの取り付けを可能にする。第Ｊ章にカートリッジ保持機構の例示の実施例を記載する。
【０１４４】
以下の記載が、機構を説明するために、特定の図示された実施例の様々な部品に対する記載であることを理解すべきである。この実施例の各部品の説明を記載した後に、上記および他の機能を提供するために、部品の相互作用の方法を記載する。また、運転、アセンブリ、ろ過方法および点検整備の方法も記載する。例示の実施例だけを以下に示す。本開示の範囲から逸脱せずにさまざまに実施することができる。
【０１４５】
Ｂ.  フィルタカートリッジ５３８
本構成物で使用可能なフィルタカートリッジ５３８の１つの実施例が図４０、図４２、図５０、図５１、および図５２に図示される。示された実施例では、フィルタカートリッジ５３８は、第１端部キャップ５４１と対向する第２端部キャップ５４２と、第１端部キャップ５４と第２端部キャップ５４２との間で伸びるフィルタ媒体の管状構造物とを含んでいる。示された実施例では、フィルタ媒体５４４は、構造物中で筒状であり、開いているフィルタ内部５４６を画定する。ろ過すべき特定の液体に依存して異なる種類の媒体を使用することができる。示された実施例では、フィルタ媒体５４４は、ひだ付フィルタ媒体５４８である。ひだ付フィルタ媒体５４８は、例えば、セルロース、合成物、合成物とセルロースの混合物を含むことができる。一般に、ろ過すべき液体は、開いている内部５４６を流れる前に、液体から微粒子または他の残骸を取り除くように機能するフィルタ媒体５４４を通って流れる。いくつかのシステムでは、ろ過すべき液体が開いているフィルタ内部５４６からフィルタ媒体５４４を通ってフィルタ媒体５４４の外側領域まで流れる反対流れによってフィルタシステム３０を運転することも可能である。
【０１４６】
第１端部キャップ５４１は、開いているフィルタ内部５４６に流体連絡している第１の開いている開口部５５０を画定する。第１端部キャップ５４１は、さらに、外側の軸方向表面５５４から突き出ている第１ネック５５２を含んでいる。第１ネック５５２は、第１ネック５５２の半径方向表面５５８に沿って溝５５６を画定する。第１シール部材５６０は半径方向表面５５８に沿って溝５５６中でシールする。フィルタカートリッジ５３８が、フィルタボウル５３６と使用可能に係合されているフィルタヘッド５３２とフィルタシステム５３０中で使用可能に組み立てられている場合に、第１シール部材５６０はアダプター５６４（図４９と図５０）と取り外し可能なシール５６２（図５０）を形成する。
【０１４７】
第１端部キャップ５４１は、さらに、第１の開いている開口部５５０中に伸びているリブ構成物５６６（図４３）を含む。示された実施例では、リブ構成物５６６は第１ネック５５２から第１の開いている開口部５５０中に伸びている。以下で説明するように、リブ構成物５６６（例示の実施例では、少なくとも１つのリブ５６８を含む）は、実施例では、ロックアウト構成物と協力する。リブ構成物５６６の別の機能は、カートリッジ保持機構と協力することである。示された実施例では、リブ構成物５６６は、ネック５５２の内壁５６９（図４２）から半径方向に伸びている複数のリブ５６８を含む。示された実施例では、リブ５６８のそれぞれは、ネック５５２の内壁５６９から第１の開いた開口部５５０中に半径方向に伸びている比較的薄い突起物５７０（図４２）として図示される。
【０１４８】
実施例では、フィルタカートリッジ５３８は、さらに、第１ネック５５２から軸方向と半径方向の両方に間隔をあける配置されている保持機構５７２を含む。保持機構５７２は、点検整備の間に、カートリッジ５３８をフィルタボウル５３６に保持するための他の構造と協力する。この動作の詳細は、本明細書の第Ｊ章で以下に説明する。
【０１４９】
図示された実施例では、保持機構５７２は、第１の開いている開口部５５０中で半径方向の中心に配置される。さまざまな実施が想定されるが、示された実施例では、保持機構５７２は、リブ構成物５７６に接続された可撓性の半管状構成物５７４（図４２）を含む。「半管状」によって、閉じた周囲を有する管状形状であるが、閉じた周囲は円を形成できるまたはできないことを意味する（例えば、周囲は、不規則かまたは他の非円形形状であり得る）。可撓性の半管状構成物５７４は、つかみ構成物５７６と解放構成物５７８とを有する。一般に、つかみ構成物５７６は、システム５３０を点検整備するときに、フィルタカートリッジ５３８がフィルタボウル５３６中で保持されたままで残っているのを可能にするように、フィルタボウル５３６中の他の構造と取り外し可能な接続を提供する上で役に立つ。解放構成物５７８は、点検整備の間に、フィルタボウル５３６からフィルタカートリッジ５３８を取り外し、フィルタカートリッジ５３８をフィルタボウル５３６から取り除くのを可能するために、便利で、迅速で、使い易い機構を提供するのに有用である。
【０１５０】
本明細書に実施されるように、つかみ構成物５７６は、半径方向に可撓性がある半管状構成物５７４中に伸びている１組の対向する指部５８０、５８１を含む。図５６と図５７と関連しかつ本明細書の第Ｊ章で以下に説明するように、指部５８０、５８１はフィルタボウル５３６中の構造と係合する。
【０１５１】
本明細書に実施されるように、解放構成物５７８は、各タブが指部５８０、５８１に対して約９０度の位置に配置されている状態で１組の対向するタブ５８２、５８３を含む。タブ５８２、５８３は、受入開口部５８６を画定する可撓性のリングを形成するために指部５８０、５８１に接続されている。受入開口部５８６は、フィルタカートリッジ５３８をフィルタボウル５３６に保持するためにフィルタボウル５３６中で構造を収容する。
【０１５２】
タブ５８２、５８３は、互いに向かう方向に押すかまたは圧縮可能であり、可撓性のあるリング５８４によりタブ５８２、５８３に対して指部５８０、５８１を接続するために、タブ５８２、５８３を互いに向かう方向に強く押すと、リング５８４は指部５８０、５８１を互いに離れる方向に動かす。指部５８０、５８１を互いに離れる方向に動かすと、フィルタボウル５３６はフィルタカートリッジ５３８中の対応する構造から外れる。
【０１５３】
フィルタカートリッジ５３８は、図示された実施例では、さらに、フィルタヘッド５３２に対してフィルタカートリッジ５３８を中央に配置するのを補助する中央構成物５８８を含む。示された実施例では、中央構成物５８８は、第１ネック５５２の外壁５９２から半径方向にかつ第１端部キャップ５４１の外側の軸方向表面５５４から軸方向に伸びている複数の突起物５９０（図４２）を含んでいる。示された実施例では、複数の突起物５９０のうちの選択された突起物は、アダプター５６４（図１１）に適所でフィルタカートリッジを保持するのを助けるＬ形状部材５９４である。図５０で見ることができるように、アダプター５６４は、Ｌ形状部材５９４と第１ネック５５２との間に収容される。
【０１５４】
上記説明したように、フィルタ媒体５４４は、第１端部キャップ５４１と第２端部キャップ５４２との間に伸びかつ固定されている。図４３に示されるように、フィルタ媒体５４４は、慣用技術によって第１端部キャップ５４１に固定されている第１端部５９６を有する。媒体５４４は、第２端部キャップ５４２に固定されている第２端部５９７を有する。
【０１５５】
図４３では、第２端部キャップ５４２は、開いているフィルタ内部５４６と連絡する第２の開いた開口部５９８を画定する。図示された実施例において、第２端部キャップ５４２は、第２端部キャップ５４２の外側の軸方向表面６０２から伸びている第２ネック６００を含んでいる。
【０１５６】
第２シール部材６０４は、第２ネック６００の半径方向の表面６０６上に配置されている。図示された実施例において、第２シール部材６０４は、第２ネック６００の内側の半径方向表面６０８上に配置されている。図４３で見ることができるように、第２シール部材６０４は、第２ネック６００の内側の半径方向表面６０８を画定する溝６１０中に配置されている。フィルタカートリッジ５３８が使用中にフィルタボウル５３６と使用可能に組み立てられるとき、第２のシール部材６０４は、フィルタボウル５３６中の構造とシール６１２（図５０）を形成する。
【０１５７】
Ｃ.  フィルタヘッド５３２とアダプタ５６４
図４０、図４８、図５０、および図５４に、フィルタヘッド５３２の概略図を示す。図示された実施例のフィルタヘッド５３２は、通常は入口導管として機能する導管６１４と通常は出口導管として機能する導管６１６を有する。フィルタヘッドは、ろ過されるべき液体が入口導管６１４を通ってフィルタヘッド５３２中に流れ、次に、出口導管６１６を通って流れることによってフィルタヘッド５３２を出るような他の装置に接続されている。多くの典型的な構成物では、フィルタヘッド５３２は、鋳造金属部品から組み立てられている。
【０１５８】
フィルタヘッド５３２は、フィルタボウル５３６と選択的に係合するための適合構造６１８を含む。図示された実施例では、適合構造６１８は、複数のねじ山６２０である。複数のねじ山６２０は、フィルタヘッド５３２の外側の半径方向表面に沿って図示されている。もちろん、複数のねじ山は、フィルタヘッド５３２の内側の半径方向表面に配置することができる。
【０１５９】
出口導管６１６に並べたとき、フィルタヘッド５３２は、アダプター５６４との係合のために適合構造６２２を含む。示された実施例では、適合構造６２２は、アダプター５６４上に複数の外側のねじ山（おねじ）６２４に接続する複数のねじ山６２３である。このように、アダプター５６４は、複数のねじ山６２３とねじ山６２４の間の係合により選択的にフィルタヘッド５３２に固定することができる。他の方法は、例えば、圧入、接着、溶接またはフィルタヘッド５３２にアダプター５６４を一体化する方法によって、アダプター５６４をフィルタヘッド５３２に取り付けるために使用することができる。
【０１６０】
アダプター５６４の１つの実施例を図４９に透視図で、図４８、図５０、および図５４に断面図で図示する。図示された実施例では、アダプター５６４は、中央の開いた開口部６２８に外接するファンネル６２６を含んでいる。筒状壁６３０は、ファンネル６２６から伸びている。筒状壁６３０は、第１ネック５５２と第１端部キャップ５４１のＬ形状部材の間に配置されている端部リム６３２を有する。筒状壁６３０は、フィルタカートリッジ５３８とアダプター５６４との間に形成されるシール５６２（図５０）に対する表面を提供する内側の半径方向表面６３４を画定する。
【０１６１】
複数のリブ６３６がファンネル表面６２６の内壁から伸びている。リブ６３６は、この実施例では、カートリッジ５３８がフィルタボウル３６に使用可能に配置されず、かつリブ６３６とフィルタボウル５３６中の構造がフィルタヘッド５３２をフィルタボウル５３６にねじ山で係合するのを防ぐ場合に、フィルタボウル５３６の一部に対してじゃまをするロックアウト機構の一部である。このことは本明細書の第Ｈ章で以下により完全に記載する。
【０１６２】
アダプター５６４は、フィルタカートリッジ５３８と協力して、フィルタヘッド５３２に対してフィルタカートリッジ５３８とフィルタボウルを中心に置くのを助ける。図５０で見ることができるように、アダプター５６４の筒状壁６３０は、第１ネック５５２と、第１端部キャップ５４１のＬ形状部材５９４との間に配置されている。
【０１６３】
Ｄ.  フィルタボウル５３６
ここで、図４４、図４５、図４８、図５０、および図５４を参照すると、フィルタボウル５３６の１つの実施例が図示されている。図示された実施例では、フィルタボウル５３６は、その中にフィルタカートリッジ５３８を収容して保持するため開いている内部容積部６４０を画定する周囲壁６３８を含む。フィルタボウル５３６は、フィルタカートリッジ５３８をフィルタボウル５３６に選択的に挿入しかつ取り除くことを可能するために、端部に開いている口部６４２を有する。開いている口部６４２の対向する端部に、排液開口部６４６として機能する開口部を画定する閉じた端部６４４がある。閉じた端部６４４に周囲リム６４８が外接しており、周囲リム６４８はフィルタボウル５３６がチッピング無しにショップベンチのような水平面上に立つことを可能にする。この実施例では、周囲リム６４８はまた、レンチなどの取り外し器具と接続して使用される平らな表面６４９（図４０と４１）を有する。示された実施例では、管６５０は、周囲リム６４８中の中心に配置されており、管６５０は閉じた端部６４４から軸方向に伸びかつ排液開口部６４６を画定する。示された実施例では、排液開口部６４６は、排液開口部６４６を多孔性の内側フィルタ支持体６５４（図４７）に使用可能に接続することを可能にする複数のネジ山６５２などの接続構造を有するが、このことは以下でさらに記載する。排液開口部６４６は、フィルタボウル５３６の開いている内部容積部６４０と流体連絡している。
【０１６４】
複数のねじ山６５８として本明細書に図示された適合構造６５６は、開いた口部６４２に隣接している。複数のねじ山６５８は、周囲壁６３８の内壁６６０に沿って配置されている。複数のねじ山６５８は、フィルタヘッド５３２上の複数のねじ山６２０と選択的に係合可能である。もちろん、フィルタヘッド５３２の上の複数のねじ山６２０が内壁上にあり、シール部材６６２を保持するためのシールみぞが外壁上にある場合、複数のねじ山６５８は、外壁上にあり得る。
【０１６５】
図示された実施例では、フィルタボウル５３６とフィルタヘッド５３２との間で取り外し可能なシール６６４（図５０）を形成するシール部材６６２が、内壁６６０に沿って配置されている。
【０１６６】
Ｅ.  フィルタ支持体６５４
ここで、図４５、図４６、図４７、図４８、図４９、図５２、および図５４を参照する。多孔性の内側フィルタ支持体６５４の１つの実施例が図示されている。多孔性の内側フィルタ支持体６５４は、フィルタボウル５３６の開いているフィルタ内部６４０中に配置されている。特に、図示された特定の実施例では、内側フィルタ支持体６５４は、フィルタボウル５３６の開口部６４６中の複数のねじ山６５２と、内側フィルタ支持体６５４の一部である中空ステム６６８との間のネジ接続６６６を通してフィルタボウル５３６に取り外し可能に固定されている。フィルタ支持体６５４は、また、粘着剤、圧入、ポンチ止め（ステーキング）溶接によってフィルタボウル５３６に取り付けることができるし、支持体６５４とフィルタボウル５３６は同じ一体部品となり得る。
【０１６７】
図示された特定の実施例では、内側フィルタ支持体６５４は、外側多孔壁６７０を含む。外側多孔壁６７０は、それを通過する複数の流路６７２（図４７）を画定する。使用中に、多孔性の内側フィルタ支持体６５４は、フィルタ媒体５４４の開いたフィルタ内部５４６と並ぶことによってフィルタ媒体５４４を支えるのを補助するように機能し、流路６７２は、ろ過された液体が外側多孔壁６７０中のろ過された液体容積部６７４（図５０）中に流れるのを可能にする。
【０１６８】
ここで、図４７を注目すると、外側多孔壁６７０は、内部壁表面６７６を画定する。複数のガイドレール６７８は内部壁表面６７６から伸びており、複数のガイドレール６７８は、ろ過された液体容量部６７４に向かう方向で半径方向の内側に突き出ている。ガイドレール６７８は、図示された実施例では、その間に滑走軌道６８１を有する２つの平行なレール６７９、６８０を含む。滑走軌道６８１は、１つのコア部分６８２の複数の部分に係合しており、コア部分は本明細書の第Ｇ章で以下に記載する。
【０１６９】
それぞれのガイドレール６７８は、複数の係合端部６８４を有する。複数の係合端部６８４は、本明細書の第Ｈ章で説明されたロックアウト機構の一部である。
【０１７０】
基部６８６は、外側多孔壁６７０の端部にある。一般に、基部６８６は、外側多孔性壁６７０に対して直角または垂直に配置されている。基部６８６は、第１の軸方向表面６８８と対向する第２の軸方向表面６８９を含む（図４６）。外側の半径方向表面６９０は、第１の軸方向表面６８８と第２の軸方向表面６８９の間にある。半径方向表面６９０は、フィルタカートリッジ５３８の第２端部キャップ５４２によって保持された第２シール部材６０４と共にシール６１２（図５０）を形成するために、外側の周囲シール面６９２を形成する。第１の軸方向表面６８８は、フィルタカートリッジ５３８の第２端部キャップ５４２に対する係合のために停止あるいは係合表面６９４（図５０）を形成する。
【０１７１】
多孔性ネック６９６は、基部６８６に隣接して配置されている。多孔性の内側フィルタ支持体６５４がフィルタボウル５３６中に使用可能に配置されているとき、かつ、フィルタカートリッジ５３８がフィルタボウル５３６中に使用可能に配置されているとき（図５０に示される）、多孔性ネック６９６は、ろ過された液体の容量部６７４（図５０）とポート７９４（図５３）を通してろ過されていない液体の容量部６９８（図５０）と選択的に流体連絡している。ろ過されていない液体の容積部６９８は、フィルタ媒体５４４の上流に配置されているフィルタボウル５３６中の容積部である。多孔性ネック６９６は、排液弁機構が開いた位置にあるとき、ろ過された液体の容量部６７４と選択的に流体連絡する。排液弁機構は、本明細書の第Ｉ章に記載される。
【０１７２】
中空ステム６６８は、上記説明したように、多孔性ネック６９６と流体連絡する。中空ステムは、フィルタボウル５３６の排液開口部６４６と取り外し可能に配置されている。中空ステム６６８はその中にシール部材７０２を保持する外側の半径方向溝７００を画定する。シール部材７０２は、フィルタボウル５３６の管６５０の内部表面でシール７０４を形成する。中空ステム６６８は、中空であり、フィルタボウル５３６の開口部６４６に配置されている排液開口部６６９を画定する。
【０１７３】
内側フィルタ支持体６５４は、さらに、外壁６７０（図４６）中に内壁７０６を含む。内壁７０６は、頑丈であり、基部６８６から比較的短い距離で、特に、外壁６７０の２５％未満の距離で伸びている。内壁７０６は外壁６７０によって囲まれている。内壁７０６と外壁６７０は、その間でバネ支持シート７０８を画定する。バネ支持シート７０８は下側のバネ７１０を保持する。下側のバネ７１０は、本明細書の第Ｈ章で説明されるロックアウト機構の一部である。
【０１７４】
また図４６を参照すると、内側に傾いた肩部７１２が外側の多孔性壁６７０の内部の壁表面６７６に沿って配置されている。肩部７１２は、コア部分６８２をじゃまして、フィルタ支持体６５４中でコア部分６８２の更なる下方向への移動を防ぐので、コア部分６８２の下方向への動きを制限するのを補助することができる。
【０１７５】
外側の多孔性壁６７０は、それを通る複数の収容スロット７１４をさらに画定する。収容スロット７１４は、フィルタシステム５３０の点検整備の間、ゆるみ止めバネ（locking spring）７１６の一部を収容するために配置されている。このことは、第Ｉ章で以下にさらに記載する。
【０１７６】
Ｆ.  バスケット７２０
ここで図４６、図４７、図４８、および図４９を注目する。バスケット７２０が図示されている。バスケット７２０はロックアウト機構の一部であり、その機能は、以下の第Ｈ章でより完全に記載される。種々の実施が想定される。特定の例示の実施例では、バスケット７２０は、基部７２４から片持ちばりの複数の脚７２２を含んでいる。図示された実施例では、４本の脚７２２が互いに均等にかつ半径方向に間隔をあけて配置されている。脚７２２は、使用時にバスケット７２０が使用可能に組み立てられた場合、基部７２４からフィルタボウル５３６の閉じた端部６４４に向かう方向で軸方向に伸びている。
【０１７７】
バスケット７２０は、更に、基部７２４から軸方向に伸びている複数のペタル（花弁）７２６をさらに含んでいる。示された実施例には、使用時にバスケット７２０が使用可能に組み立てられた場合、基部７２４からフィルタボウル５３６の開いている口部６４２に向かう方向で軸方向に伸びている４つのペタル７２６がある。したがって、ペタル７２６は、脚７２２から対向する方向に軸方向に伸びている。ペタル７２６は、互いに対して均等に間隔をあけて配置されている。図示された実施例では、それぞれのペタル７２６は、開いている流れ開口部７２８、上側の端部チップ７３０、傾いた斜面表面７３２を画定する。傾いた斜面表面７３２は、端部チップ７３０から基部７２４まで下向きに傾いている。
【０１７８】
バスケット７２０がコア部分６８２とともに使用可能に組み立てられ、フィルタボウル５３６中で取り付けられる場合、バスケット７２０は、それぞれの脚７２０の自由端７３４が、フィルタ支持体６５４上のガイドレール６７８の係合端部６８４を軸方向に係合または隣接する固定位置から回転可能である。バスケット７２０は固定位置から固定されていない位置まで回転可能である。この固定されていない位置は、バスケット７２０がフィルタボウル５３６の閉じた端部６４４に向かう方向で軸方向に動くことを可能にするために、自由端部７３４とガイドレール６７８の係合端部６８４との間で軸方向の側壁がない時の位置である。このことは、さらに以下の第Ｈ章で記載するロックアウト機構と関連して記載される。
【０１７９】
ペタル７２６上の斜面表面７３２は、フィルタカートリッジ５３８の一部と係合して固定位置から固定されていない位置までバスケット７２０を移動または回転するように作られて配置されている。特に、第１端部キャップ５４１上のリブ５６８と、それぞれのペタル７２６の斜面表面７３２との間で係合する。このことは、さらに、第Ｈ章のロックアウト機構部で以下に記載する。
【０１８０】
バスケット７２０は、さらに、基部７２４から伸びている中央管７３６を含んでいる。中央管７３６は、コア部分６８２のポスト７４０を収容するように作られたポスト収容開口部７３８を画定する。ポスト７４０とコア部分６８２は、以下の第Ｇ章で記載する。
【０１８１】
ウェブ７４２は、各ペタル７２６と中央管７３６の間で伸びている。図示された実施例では、４つのウェブ７４２がある。ウェブ７４２は、中央管７３６を支えバスケット７２０の台（rest）で中央管７３６と接続するのを補助する。また、それぞれのウェブ７４２は、バスケット７２０を固定位置で保持するために、コア部分６８２に対してバスケット７２０を片寄らす（biase）ように、上側バネ７４４を保持するのを補助する。ロックアウト機構の一部として上側スプリングの機能は第Ｈ章で記載する。
【０１８２】
Ｇ.  コア部分６８２と固定バネ７１６
ここで、図４７を参照すると、コア部分６８２の１つの実施例が透視図で図示されている。コア部分６８２の断面図を図４５、図４６、図４８、図５０、および図５４に示す。一般に、コア部分６８２は、ろ過された液体容量部６７４内でかつ内側フィルタ支持体６５４の内部に使用可能に配置されている。
【０１８３】
図４７で見ることができるように、図示された実施例では、コア部分６８２は、ポスト７４０、中心部材７７０、およびプラグ７５２を含む。図示された実施例では、コア部分６８２はある長さで、好適な実施例では、フィルタ媒体５４４の長さより長い長さで伸びている。
【０１８４】
図示された実施例では、ポスト７４０の１つの自由端部で、ボタン７４８が画定される。ネック７５０の形態で減少した寸法の領域がボタン７４８に隣接している。ポスト７４０は、バスケット７２０のポスト収容開口部７３８に収容され、保持機構５７２（図５６）はボタン７４８でポスト７４０を係合する。特に、つかみ構成物５７６は、指５８０、５８１をポスト７４０のネック７５０に係合することによって、ボタン７４８でポスト７４０を保持する。図５７が参照される。保持構成物の更なる操作上の詳細は、第Ｊ章で以下に議論する。
【０１８５】
示された実施例において、コア部分６８２は、さらに、シール位置（図５０と図５３）と、多孔性の内側フィルタ支持体６５４の排液開口部６６９中の排液位置（図５４と図５５）との間に移動可能に配置されたプラグ７５２を含む。さらに、プラグ７５２は、点検整備の間、プラグ７５２がフィルタカートリッジ５３８の挿入を待ちながら適所に固定される位置である第３位置を有する。この第３固定位置を図４８に示す。
【０１８６】
プラグ７５２がシール位置にあるとき、プラグ７５２は、フィルタボウル５３６の内部容積部６４０と排液開口部６６９との間で流体が流れるのを止める。プラグ７５２が排液位置にあるとき、プラグ７５２は、フィルタボウル５３６の内部容積部６４０から排液開口部６６９を通る流れを可能にするために、フィルタボウル５３６に対して配置される。
【０１８７】
プラグ７５２は、図示された実施例において、第１シール部材７５６（図４６）を保持する第１溝７５４と、第１溝７５４から間隔をあけて配置されているが第１溝７５４に隣接している第２溝７５８（図４７）とを含んでいる。第２シール部材７６０（図４６）は第２溝７５８中に配置されている。第１シール部材７５６は、プラグ７５２と排液開口部６６９中の中空ステム６６８の内壁との間で第１シール７６２（図５３）を形成する。したがって、この実施例では、第１シール７６２は、多孔性の内側フィルタ支持体６５４の一部とコア部分６８２との間にある。第１シール７６２は、開いている内部容積部６４０中であるがフィルタ媒体５４４の上流で外側にあるろ過されていない液体容量部からろ過されていない液体が多孔性ネック６９６を通って排液開口部６６９中に流れるのを止める。
【０１８８】
また図５３を参照すると、第２シール部材７６０は、コア部分６８２のプラグ部材７５２とフィルタ支持体６５４の内側流れ導管７６６（図４８）との間で第２シール７６４を形成する。第２シール７６４は、ろ過されていない液体の容量部６９８（図５０）からのろ過されていない液体に対して、ろ過された液体の容量部６７４（図５０）に達しないようにシールする。また第２シール７６４は、液体がろ過された液体の容量部６７４からろ過されていない液体の容量部６９８中へ下方向に流れるのを防ぐ。
【０１８９】
プラグ７５２は、排液弁機構に対する貢献と関連して、第Ｉ章で以下により完全に議論する。
【０１９０】
また図４７を参照すると、示された例示の実施例では、コア部分６８２は中心部材７７０を含む。この特定の実施例では、中心部材７７０は、ポスト７４０とプラグ７５２の間に伸びている。この実施例では、コア部分６８２は、中心部材７７０から半径方向に伸びている複数のガイドフィン７７２を含む。ガイドフィン７７２は、内側フィルタ支持体６５４中の中心に配置されたコア部分６８２を保持するのを補助する。また、ガイドフィン７７２は、この実施例では、以下の第Ｉ章で議論される排液弁機構のコンポーネントである。
【０１９１】
図４７に示す実施例では、ガイドフィン７７２のうちの少なくとも２つは、スロット７７４を画定する。示された実施例では、スロット７７４は、一般に、ガイドフィン７７２の外側端部から部分的に中心部材７７０に向かって内側に伸びているＵ形状の開口部である。スロット７７４は、コア部分６８２が例示の実施例で示されたパーツと使用中に使用可能に組み立てられた場合に、ゆるみ止めバネ（locking spring）７１６の一部を収容する。
【０１９２】
図示された実施例では、収容ギャップ７７６は、複数のガイドフィンのうちの隣接するガイドフィンの間にある。以下で説明されるように、収容ギャップ７７６は、ゆるみ止めバネ７１６の他の一部を保持して配置するのを補助する。
【０１９３】
また図４７と図５８を参照すると、示された実施例では、コア部分６８２は、さらにバスケットホルダ７７８を含む。この実施例では、バスケットホルダ７７８は、バスケット７２０を支持し、バスケット７２０が固定位置と固定されていない位置との間で動くのを可能にする。示された実施例では、バスケットホルダ７７８は、中心部材７７０から半径方向に伸びている開口部のあるフレーム７８０を含む。開口部のあるフレーム７８０は、複数のガッセット７８２によって支持されている。示された実施例では、開口部のあるフレーム７８０を支えている４つのガセット７８２がある。開口部のあるフレーム７８０は、脚７２２を開口部７８４に通過させることによってバスケット７２０の脚７２２がバスケットのホルダ７７８に入り込むことができるように、脚の受入開口部７８４（図５８）を画定する。脚の受入開口部７８４は、一般に、中心部材７７０に平行な中心軸を有する。
【０１９４】
複数のフランジ７８６は、コア部分６８２が使用中に組み立てられるとき、開口部のあるフレーム７８０から開いている口６４２に向かう方向に軸方向に伸びている。示された実施例では、ポスト７４０から均等に間隔をあけて配置され、外接または取り囲んでいる４つのフランジ７８６を有する。各フランジ７８６は、そこを通る１組の開口部７８８、７８９を画定する。溝７９０は、隣接するフランジ７８６から各フランジ７８６を分離する。
【０１９５】
ゆるみ止めバネ７１６は、水平部材８００と、水平部材８００の端部にある１組の肩部８０１、８０２と、各肩部８０１、８０２から伸びている１組のカギ状アーム８０４、８０５とを含んでいる。カギ状アーム８０４、８０５はフック８０６、８０７で終結する。肩部８０１、８０２は、一般に、フィンスロット７７４中に配置され、水平部材８００はコア部分６８２を横切って伸びている。ゆるみ止めバネ７１６は、コア部分６８２の垂直方向の動きを制限するように機能する。
【０１９６】
Ｈ.  ロックアウト機構の動作
上記説明したように、フィルタシステム５３０中にフィルタカートリッジ５３８がフィルタボウル５３６中で使用可能に組み立てられていない場合に、フィルタシステム５３０が作動することができないのを確実にする機構を有することは好ましい。ロックアウト機構はこの目的を実現する。
【０１９７】
まず、フィルタボウル５３６とフィルタ支持体５５４とその中で使用可能に組み立てられたコア部分６８２の実施例を示す図４４と図４５を参照する。図４５では、フィルタカートリッジ５３８は、フィルタボウル５３６中には無い。図４５は、例えば、点検整備の間に、フィルタカートリッジ５３８が取り外された後のフィルタボウル５３６の状態である。
【０１９８】
図４５では、バスケット７２０は、ポスト７４０にスナップで取り付けられており、バスケット７２０は、上側バネ７４４のかたよりよって固定位置に配置されている。特に、上側バネ７４４は、脚７２２と脚の収容開口部７８４との間の係合によって、ウェブ７４２とその力への抵抗との間で加えられた回転の力によって上側バネ７４４がバスケット７２０を固定位置に片寄るように配置されている。
【０１９９】
バスケット７２０が固定位置にあるとき、各脚７２２は、ガイドレール６７８の係合端部６８４と係合する自由端部７３４を有する。この位置で、フィルタボウル５３６中に設置されたフィルタカートリッジ５３８は無く、ペタル７２６の先端７３０は、アダプター５６４のリブ６３６と接触または係合する。図４８が参照される。脚７２２がガイドレール６７８上で支えられているので、コア部分６８２とバスケット２２０は、フィルタボウル５３６の閉じた端部６４４に向かう方向で軸方向の下向きに動くことができない。その代わりに、全体の内側ライナアセンブリ７９２は伸びてかつしっかり固定された位置にある。図４８で見ることができるように、このしっかり固定された位置で、フィルタヘッド５３２は、フィルタボウル５３６上の複数のねじ山６５８とフィルタヘッド５３２上の複数のねじ山６２０との間の連結によって、フィルタボウル５３６と移動可能に連結できない。
【０２００】
点検整備の間で、新しいフィルタカートリッジ５３８が提供されたとき、フィルタカートリッジ５３８は、フィルタカートリッジ５３８を開いている口部６４２を通して配置することによって、フィルタボウル５３６に配置される。
【０２０１】
ここで、図５０と図５２を注目する。フィルタカートリッジ５３８がフィルタボウル５３６中で適切に配置されるとき、第１端部キャップ５４１上のリブ５６８は、バスケット７２０の傾斜表面７３２と接触または係合する。フィルタカートリッジ５３８がフィルタボウル６３８の閉じた端部６４４に向かって軸方向で下向きに移動すると、端部キャップ５４１上のリブ５６８は、バスケット７２０のペタル７２６の傾斜表面７３２に係合する。リブ５６８と傾斜表面７３２との間の係合により、バスケット７２０はバネ７４４に対してその固定位置から固定されていない位置まで回転する。回転の角度は２０〜４０度、例えば、２５〜２８度である。また、バスケット７２０が固定位置から固定されていない位置まで回転するとき、脚７２２もまたガイドレール６７８の係合端部６８４に対して係合または回転して離れる方向に移動する。いくつかのポイントで、バスケット７２０がそのフルモーション（例えば、２５〜２８度）で回転する前に、脚７２２はガイドレール６７８を完全に飛び越す。このポイントで、閉じた端部６４４に向かう方向で軸方向下向きのフィルタカートリッジ５３８の追加の動きによりバスケット７２０とコア部分６８２もまた下側のバネ７１０に対してその方向に移動することができる。下側バネ７１０は、図４５の伸びた位置でバスケット７２０とコア部分６８２を片寄らす。
【０２０２】
コア部分６８２を十分緩めるためにフィルタカートリッジ５３８が下向きに移動してかつバスケット７２０を固定位置から固定されていない位置まで移動すると、フィルタヘッド５３２は、図５０に示されているように、確実な取付のために、フィルタボウル５３６上の複数のねじ山と移動可能に係合する。
【０２０３】
Ｉ.  排液弁機構
また、図示したフィルタシステム５３０は、フィルタシステム５３０の点検整備の間、完全なアセンブリ中の液体が自動的に排出されるのを可能にする排液弁機構を有する。排液弁機構は、例示の実施例における他の特徴と独立して実施することができる。例えば、排液弁機構は、ロックアウト機構とカートリッジ保持機構と独立して実施することができる。
【０２０４】
ここで図５０と図５３〜図５５に注目する。図５０では、フィルタカートリッジ５３８がフィルタボウル５３６中に使用可能に配置され、かつフィルタボウル５３６が図５０に示されるように、フィルタヘッド５３２上で完全にねじ山と係合している状態で、プラグ７５２は閉じてシールされた位置にある。この位置で、第１シール７６２と第２シール７６４が適所に配置されている。
【０２０５】
第２シール７６４は、ろ過されていない液体容量部６９８（図５０）に流体連結されているポート７９４から、ろ過された液体の容量部６７４（図５０）中の清浄側に配置された液体を閉じこめる。第１シール７６２は、外部環境に向けられる排液開口部６６９からポート７９４からの液体を閉じこめる。
【０２０６】
下側バネ７１０は、バネを支えるシート７０８とガイドフィン７７２の下側端部７９６中に配置される。フィルタカートリッジ５３８がフィルタボウル５３６中に使用可能に配置されかつフィルタヘッド５３２がフィルタボウル５３６と連結して完全に係合している状態で、下側バネ７１０は、圧縮された状態であり、フィルタカートリッジ５３８の中心軸に沿って作用する力を生成し、それにより、コア部分６８２とバスケット７２０とを、第１端部キャップ５４１中で一体となっているリブ６８に対して保持する。さらに、第１端部キャップ５４１の外側の軸方向表面５５４と一体化した突起物５９０、５９４は、アダプター５６４の下側端部またはリム６３２（図４９）に対して保持される。第１端部キャップ５４１がフィルタカートリッジ５３８の一部であるので、カートリッジと内側ライナアセンブリ７９２とを含む全体アセンブリは、アダプター５６４に対して保持される。
【０２０７】
フィルタ媒体５４４が目詰まりまたは閉塞することによりフィルタカートリッジ５３８を点検整備する場合、または摩耗のため、フィルタカートリッジ５３８取り替える時に、フィルタアセンブリ５３４はフィルタヘッド５３２に対して中心軸の周りで回転される。これが起こるとき、フィルタアセンブリ５３４は、フィルタボウル５３６とフィルタヘッド５３２の間で緩める動作により中心軸に沿って下向きに動く。この下向きの動きが起こっている間、下側バネ７１０は、フィルタカートリッジ５３８をアダプター５６４に対して保持し続ける。この結果、フィルタボウル５３６が軸方向に下向きに移動するので、フィルタカートリッジ５３８は、アダプター５６４とフィルタヘッド５３２に対して適所に固定されたままである。この動作は、プラグ７５２と、第１および第２シール７６２、７６４を形成するシール表面との間で相対的な動きを生み出す。フィルタボウル５３６を完全に２回転すると、排液開口部６６９は、ろ過されていない液体容量部６９８とろ過された液体容量部６７４の両方中の流体に対して完全に開かれており、流路７９８、７９９（図５５）に沿って、適切に廃棄する容器によって捕集することができる外部環境へ液体が流れるのを可能にする。
【０２０８】
このポイントで、コア部分６８２は、内側フィルタ支持体６５４に対してもはや動くことができない。ゆるみ止めバネ７１６は、ガイドフィン７７２中のスロット７７４を通してコア部分６８２に取り付けられる（図４７を参照）。
【０２０９】
フィルタカートリッジ５３８がフィルタボウル５３６中に完全に取り付けられた状態で、フック８０６、８０７は、特に、ゆるみ止めバネのフック８０６、８０７の端部８０８、８０９で、フィルタ支持体６５４の壁６７０中のガイドレール６７８中の滑走軌道６８１に対してばねで押される。
【０２１０】
コア部分６８２が、フィルタ支持体６５４に対してフィルタボウル５３６の開いている口部６４２に向かう方向で上向きに移動するとき、スロット７７４を通してコア部分６８２に取り付けられたゆるみ止めバネ７１６は、ゆるみ止めバネ７１６の２つの端部８０８、８０９が半径方向に外側にフィルタ支持体６５４の壁６７０中の収容スロット７１４中に移動するまで、コア部分６８２と共に動く。図４８が参照される。ゆるみ止めバネ７１６の端部８０８、８０９は、コア部分６８２をそれ以上動かないようなフィルタ支持体６５４に対する位置で固定する。このことは、フィルタカートリッジ５３８が取り外された後でコア部分６８２がフィルタボウル５３６から落ちるのを防止する。
【０２１１】
図４８で見ることができるように、プラグ７５２は、排液位置の軸方向上方の第３位置にあり、プラグ７５２の図４８の位置は、コア部分６８２が点検整備の間にフィルタカートリッジ５３８の挿入を待ちながら適所で固定されるときの位置である。
【０２１２】
Ｊ.  カートリッジ保持機構５７２
フィルタシステム５３０を図示する好適な実施例では、点検整備の間に、フィルタボウル５３６中のフィルタカートリッジ５３８を取り外し可能に保持するためのカートリッジ保持機構５７２を含んでいる。カートリッジ保持機構５７２は、独立したロックアウト機構と排液弁機構と独立を含むろ過システムの他の特徴と独立して実施することができる。
【０２１３】
ここで、図５６と図５７を注目する。これらの図は概略的であり、明確にするためフィルタ媒体５４４を図示していない。第１端部キャップ５４１だけが内側ライナアセンブリ７９２の部分に沿って示されている。
【０２１４】
コア部分６８２は、垂直方向の上向きに固定された図４８に示された位置にあるとき、ポスト７４０は、端部キャップ５４１上の指部５８０、５８１がボタン７４８の下方に配置されるように、第１端部キャップ５４１に対して配置されている。特に、指部５８０、５８１は、ネック７５０をつかんでいる。内側ライナアセンブリ７９２を含むフィルタボウル５３６の軸方向で下方向への更なる移動は、ネック７５０を指部５８０、５８１と接触するようにさせ、全体のフィルタカートリッジ５３８に軸方向で下向きの力を加える。最終的に、フィルタヘッド５３２からフィルタカートリッジ５３８を取り除くとき、フィルタボウル５３６の最後の完全な回転の間、カートリッジ５３８がフィルタボウル５３６の中に残ることになる。
【０２１５】
フィルタアセンブリ５３４がフィルタヘッド５３２から完全に分離された状態で、フィルタカートリッジ５３８は、つかみ構成物５７６の指部５８０、５８１とポスト７４０のボタン７４８との間の係合によってフィルタボウル５３６中に捕捉されたままで残る。フィルタボウル５３６からフィルタカートリッジ５３８を取り外すために、解放構成物５７８を下に押す。特に、タブ５８２、５８３は、点検整備を提供する人の親指と人差し指によって、半径方向の内側の互いに向かう方向でポスト７４０に向かう方向に押しつけられる。これにより、指部５８０、５８１をポスト７４０のネック７５０から遠い方向に移動させ、指５８０、５８１がボタン７４８飛び越すのを可能にする。
【０２１６】
点検整備する人の親指と人差し指は、タブ５８２、５８３上にあって、点検整備する人は、ここで、ボタン７４８を飛び越すためにフィルタカートリッジ５３８を引き出して、フィルタボウル５３６からカートリッジ５３８を取り外すことができる。
【０２１７】
タブ５８２、５８３が内側にそって、指部５８０、５８１を外側にそらすように、保持機構５７２は、親指と人差し指によって絞る方向に発生する力で十分に機能するように、可撓性のある物質から作られていることを理解することができる。この物質は、通常は高分子材料であるが、他の材料であってもよい。
【０２１８】
Ｋ.  方法
上記からフィルタシステム５３０から液体を排出する方法は明らかである。１つの方法は、フィルタヘッド５３２からフィルタカートリッジ５３８を含むフィルタボウル５３６を少なくとも少しだけゆるめて、図５０と図５３に示されたシール位置から図５４と図５５に示された排液位置までプラグ７５２を有するコア部分６８２まで下側バネ７１０が軸方向に動くのを可能にする工程を含み得る。シール位置は、内側フィルタ支持体６５４の中空ステム６６８などのような部分を通る流れを止めることによって、ろ過されていない液体容量部６９８と、排液開口部６６９として示される流体出口部との間で流体が流れるのを止めるプラグ７５２を含んでいる。排液位置は、中空ステム６６８排液開口部６６９を通る流れを可能にし、かつ、ろ過されていない液体の容量部６９８と排液開口部６６９からの流れを可能にするために内側フィルタ支持体６５４に対して配置されているプラグ７５２を含んでいる。
【０２１９】
ここでまた、フィルタボウル５３６中にフィルタカートリッジ５３８を取り付ける方法もまた明らかである。１つの方法は、フィルタボウル５３６中にフィルタカートリッジ５３８配置する工程を含んでいる。この方法は、さらに、フィルタカートリッジ５３８を配置する間に、コア部分６８２と内側フィルタ支持体６５４を取り外すために、コア部分６８２に対してフィルタカートリッジ５３８を押す工程を含む。このことは、特に、バスケット７２０の傾斜表面７３２に対して第１端部キャップ５４１のリブ５６８を係合することによって、バネ７４４に対してバスケット７２０の回転を引き起こすことによって、脚７２２を端部７３４とガイドレール６７８の係合６８４との間でバネで軸方向の側壁から遠い方向に引き離すことによってなされる。次に、脚７２２は、フィルタ支持体６５４の外壁６７０内で軸方向で下向きに動くことが可能となる。次に、係合が外された後で、この方法は、フィルタカートリッジ５３８とコア部分６８２の両方を内側フィルタ支持体６５４に対して軸方向に移動する工程を含む。特に、フィルタカートリッジ５３８は、フィルタ支持体６５４に対してバスケット７２０とコア部分６８２を軸方向に下向きに押す。次に、このことは、フィルタヘッド５３２とフィルタボウル５３６との適切な係合を可能にする。
【０２２０】
フィルタシステム５３０を点検整備するために、フィルタボウル５３６をフィルタヘッド５３２から緩める。これがなされるとき、ゆるみ止めバネ７１６が適所で内側フィルタ支持体６５４に対して固定されるまで、コア部分６８２がフィルタ支持体６５４に対して軸方向に動く。特に、フック８０６、８０７の端部８０８、８０９は、ガイドレール６７８の滑走軌道６８１に沿って端部８０８、８０９がスロット７１４を通ってぱたんと閉まる（snap）まで移動する。ゆるみ止めバネ７１６が端部８０８、８０９でスロット７１４中に閉じこめられると、コア部分６８２は多孔性の内側フィルタ支持体６５４に対して軸方向に固定される。
【０２２１】
コア部分６８２がフィルタ支持体６５４に対して軸方向で上向きを動くと、ポスト７４０上のボタン７４８は、フィルタカートリッジ５３８の第１端部キャップ５４１のつかみ構成物５７６によってつかまれる。フィルタアセンブリ５３４がフィルタヘッド５３２から取り外され、フィルタカートリッジ５３８はフィルタボウル５３６と留まる。次に、ユーザは、タブ５８２、５８３上に人差し指と親指を配置することによって、解放構成物５７８をつかむ。人はポスト７４０に向かう方向にタブ５８２、５８３を絞るように押す。このことは、指部５８０、５８１がボタン７４８のネック７５０から半径方向に離れる方向に移動するように指部５８０、５８１の偏りを引き起こす。
【０２２２】
カートリッジ５３８がコア部分６８２からはずされた状態で、ユーザは、フィルタボウル５３６からカートリッジ５３８を軸方向に引き出すためにタブ５８２、５８３上のグリップを維持することによって、フィルタボウル５３６からカートリッジ５３８を取り外す。次に、古いフィルタカートリッジは処分される。
【０２２３】
次に、新しいフィルタカートリッジが取り付けられる。フィルタカートリッジを取り付ける方法は、上記記載されており以下に続く。
【０２２４】
ろ過方法は、入口導管６１４を通ってフィルタヘッド５３２中にろ過される液体を送出する工程を含んでいる。次に、液体は、ろ過されていない液体容量部６９８中に流れる。第２端部キャップ５４２と多孔性の内側フィルタ支持体６５４の基部６８６との間のシール６１２および第１端部キャップ５４１とアダプター５６４との間のシール６１２によって、液体がフィルタ媒体５４４を迂回するのが防がれる。さらに、シール７６４は、液体が媒体５４４を迂回することに対するシールを補助する。次に、液体は、フィルタ媒体５４４を通り、多孔性の内側フィルタ支持体６５４中の流路６７２を通り、次に、ろ過された液体の容積部６７４中に流れる。次に、ろ過された液体は、第１の開いた開口部５５０（図４３）を通り、アダプター５６４の開いた開口部６２８を通り、次に、フィルタヘッド５３２の出口導管６１６を通って流れる。
【図１】
2010524685.tif 000003
【図２】
2010524685.tif 000004
【図３】
2010524685.tif 000005
【図４】
2010524685.tif 000006
【図５】
2010524685.tif 000007
【図６】
2010524685.tif 000008
【図７】
2010524685.tif 000009
【図８】
2010524685.tif 000010
【図９】
2010524685.tif 000011
【図１０】
2010524685.tif 000012
【図１１】
2010524685.tif 000013
【図１２】
2010524685.tif 000014
【図１３】
2010524685.tif 000015
【図１４】
2010524685.tif 000016
【図１５】
2010524685.tif 000017
【図１６】
2010524685.tif 000018
【図１７】
2010524685.tif 000019
【図１８】
2010524685.tif 000020
【図１９】
2010524685.tif 000021
【図２０】
2010524685.tif 000022
【図２１】
2010524685.tif 000023
【図２２】
2010524685.tif 000024
【図２３】
2010524685.tif 000025
【図２４】
2010524685.tif 000026
【図２５】
2010524685.tif 000027
【図２６】
2010524685.tif 000028
【図２７】
2010524685.tif 000029
【図２８】
2010524685.tif 000030
【図２９】
2010524685.tif 000031
【図３０】
2010524685.tif 000032
【図３１】
2010524685.tif 000033
【図３２】
2010524685.tif 000034
【図３３】
2010524685.tif 000035
【図３４】
2010524685.tif 000036
【図３５】
2010524685.tif 000037
【図３６】
2010524685.tif 000038
【図３７】
2010524685.tif 000039
【図３８】
2010524685.tif 000040
【図３９】
2010524685.tif 000041
【図４０】
2010524685.tif 000042
【図４１】
2010524685.tif 000043
【図４２】
2010524685.tif 000044
【図４３】
2010524685.tif 000045
【図４４】
2010524685.tif 000046
【図４５】
2010524685.tif 000047
【図４６】
2010524685.tif 000048
【図４７】
2010524685.tif 000049
【図４８】
2010524685.tif 000050
【図４９】
2010524685.tif 000051
【図５０】
2010524685.tif 000052
【図５１】
2010524685.tif 000053
【図５２】
2010524685.tif 000054
【図５３】
2010524685.tif 000055
【図５４】
2010524685.tif 000056
【図５５】
2010524685.tif 000057
【図５６】
2010524685.tif 000058
【図５７】
2010524685.tif 000059
【図５８】
2010524685.tif 000060
【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
（ａ）第１の開いている開口部を画定する第１端部キャップであって、
（i）前記第１端部キャップが第１端部キャップシール部材を保持し、
（ii）前記第１端部キャップが前記第１の開いている開口部に沿って並ぶ開口壁を画定し、
（iii）前記開口壁から前記第１の開いている開口部中に少なくとも第１突起物と第２突起物とが延びており、前記少なくとも第１突起物と第２突起物とは、フィルタカートリッジがフィルタボウル中に使用可能に取り付けられている場合に、前記フィルタボウル中のロックアウト機構と係合し、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されており、
（iv）前記第１端部キャップは、外側の半径方向表面を有する、軸方向に伸びているネックを画定し、
（Ａ）前記第１端部キャップシール部材は、前記外側の半径方向表面上の前記軸方向に伸びているネックによって保持されている、前記第１端部キャップと、
（ｂ）開いているフィルタ内部を画定し、かつ前記第１端部キャップに固定されている第１端部と、対向する第２端部とを有するフィルタ媒体の管状構造物であって、
（i）前記第１の開いている開口部が前記開いているフィルタ内部と連結している、
前記フィルタ媒体の管状構造物と、
（ｃ）前記フィルタ媒体の前記第２端部に固定され、かつ前記開いているフィルタ内部に連結する第２の開いている開口部を画定する第２端部キャップであって、
（i）前記第２端部キャップシール部材を保持している、前記第２端部キャップと、
を有することを特徴とするフィルタカートリッジ。
【請求項２】
（ａ）前記第１端部キャップの前記第１の開いている開口部は、内径を画定し、
（ｂ）前記第１突起物は、前記第１の開いている開口部中に前記第１の開いている開口部の内径の４０％以下の長さで伸びており、
（ｃ）前記第２突起物は、前記第１の開いている開口部中に前記第１の開いている開口部の内径の４０％以下の長さで伸びており、
（ｄ）前記第１突起物と前記第２突起物とは、互いに５０°以内の角度で間隔をあけて周囲方向に配置されていることを特徴とする請求項１に記載のフィルタカートリッジ。
【請求項３】
（ａ）前記開口壁から前記第１の開いている開口部中に少なくとも第３突起物が伸びており、
（i）前記第３突起物は、前記第１突起物と前記第２突起物とから周囲方向に間隔をあけて配置されており、
（ii）前記第３突起物は、前記第１突起物または前記第２突起物から垂直方向に間隔をあけて配置されており、
（ｂ）前記開口壁から前記第１の開いている開口部中に少なくとも第４突起物が伸びており、
（i）前記第４突起物は、前記第１突起物と、前記第２突起物と、前記第３突起物から周囲方向に間隔をあけて配置されており、
（ii）前記第４突起物は、前記第１突起物、前記第２突起物、または前記第３突起物のうちの２つから周囲方向に間隔をあけて配置されていることを特徴とする請求項１に記載のフィルタカートリッジ。
【請求項４】
（ａ）前記第１端部キャップは、さらに、前記第１端部キャップの外側リムに隣接する外側の軸方向表面から突き出ている、軸方向に突出した中央構成物を含むことを特徴とする請求項１乃至請求項３のうちのいずれか１項に記載のフィルタカートリッジ。
【請求項５】
（ａ）前記第１の開いている開口部の中心に配置され、前記第１端部キャップから伸びている、つかみ構成物と解放構成物とを有する保持機構を含むことを特徴とする請求項１乃至請求項３のうちのいずれか１項に記載のフィルタカートリッジ。
【請求項６】
フィルタヘッドに取り付けるためのフィルタアセンブリであって、
（ａ）内部容積部を画定する周囲壁と、開いている開口部と、前記口部に対向する端部とを含むボウルであって、
（i）前記ボウルの端部は、前記内部容積部と流体連絡する排液開口部を画定する、前記ボウルと、
（ｂ）開いているフィルタ内部を画定するフィルタ媒体の管状構造物を有し、前記ボウルの前記内部容積部中に取り外し可能に配向されているフィルタカートリッジと、
（ｃ）半径方向の内側に伸びている少なくとも１つの突起物を有し、前記開いているフィルタ内部中に配置されている多孔性の内側フィルタ支持体と、
（ｄ）フィルタヘッドが前記ボウルに使用可能に連結するのを防止する第１固定位置と、前記ボウルに対するフィルタヘッドの取り付けを可能にする固定されていない位置と、を有するロックアウト機構と、
を有し、
前記ロックアウト機構は、前記ボウルの前記開いている口部に向かう方向で軸方向に伸びている溝付壁を有するバスケットと、前記ボウルの前記端部に向かう方向で軸方向に伸びている少なくとも１つの片持ちばりの脚と、を含み、
前記バスケットは、前記中央の長手方向の軸を画定し、
（i）前記バスケットは、前記片持ちばりの脚が前記フィルタ支持体上の前記少なくとも１つの突起物と軸方向で隣接している、前記第１固定位置と、前記片持ちばりの脚が前記少なくとも１つの突起物を有する側壁から自由でありかつ前記バスケットを前記ボウルの端部に向かう方向への移動を可能にする、前記固定されていない位置と、から回転可能で移動可能であり、
（ii）前記溝付壁は、オプションに前記フィルタカートリッジまたはアダプターリングのいずれかの一部である突起物構成物と係合することによって、前記第１固定位置から前記固定されていない位置まで前記バスケットを回転するように作られかつ配置されていることを特徴とするフィルタアセンブリ。
【請求項７】
（ａ）前記バスケットは、前記片持ちばりの脚が前記フィルタ支持体の前記少なくとも１つの突起物に軸方向で隣接している第１固定位置から、前記片持ちばりの脚が前記フィルタ支持体の前記少なくとも１つの突起物に対する側壁を部分的に自由にする第２固定位置まで、回転して移動可能であり、
（ｂ）前記溝付壁は、少なくとも１つの第１滑走表面を有する第１溝と第２滑走表面を有する第２溝と、を有し、
（i）前記溝付壁は、前記第１溝の前記第１滑走表面で前記フィルタカートリッジの一部と係合し、かつ前記バスケットを前記第１固定位置から前記第２溝の前記第２滑走表面を露出する前記第２固定位置まで回転するように、作られかつ配置されており、
（ii）前記第２溝の前記第２滑走表面は、前記フィルタカートリッジを係合し、かつ前記バスケットを前記第２固定位置から前記固定されていない位置まで回転するように、作られてかつ配置されており、
（ｃ）ポストと、バスケットホルダとを含み、前記多孔性の内側フィルタ支持体の内部に使用可能に配向されているコア部分であって、
（i）前記バスケットは、複数の片持ちばりの脚を含み、
（ii）前記バスケットホルダは、前記ポストに外接しているすきま壁と、前記ポストに前記すきま壁を結合する複数のスポークとを有し、隣接する複数のスポークが、複数の脚収容開口部を画定し、
（iii）前記バスケットの前記複数の片持ちばりの脚は、前記複数の脚受け入開口部中に伸びている、前記コア部分を更に有し、
（ｄ）前記バスケットは、前記溝付壁によって外接されている中空カラムを有し、前記ポストが前記中空カラム中を伸びており、
（ｅ）前記バスケットは、前記中空カラムと前記溝付壁との間に延びている複数のフランジをさらに含み、
（ｆ）前記フィルタ支持体上の前記少なくとも１つの突起物は、前記コア部分を滑走可能に保持するように作られかつ配置されている、複数のガイドレールを含み、
（ｇ）前記フィルタアセンブリは、前記バスケットホルダ中で回転可能なバスケットを前記固定位置に片寄らすように、前記フランジの間に配向された使用可能なバネを更に含む、
ことを特徴とする請求項６に記載のフィルタアセンブリ。
【請求項８】
（ａ）前記フィルタカートリッジは、第１の開いている開口部を画定する第１端部キャップを含み、
（i）前記第１端部キャップは、前記第１の開いている開口部に沿って並んでいる開口壁を画定し、
（ii）前記開口壁から前記第１の開いている開口部中に少なくとも第１突起物および第２突起物が伸びており、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されており、
（１）前記第１突起物は、前記第１溝の前記第１滑走表面と係合するように作られかつ配置されており、
（２）前記第２突起物は、前記第２溝の前記第２滑走表面と係合するように作られかつ配置されていることを特徴とする請求項６に記載のフィルタアセンブリ。
【請求項９】
（ａ）前記フィルタカートリッジは、第１の開いている開口部を画定する第１端部キャップを含み、
（ｂ）前記バスケットは、前記片持ちばりの脚が前記フィルタ支持体上の前記少なくとも１つの突起物に軸方向で隣接している第１固定位置から、前記片持ちばりの脚が前記フィルタ支持体上の前記少なくとも１つの突起物に対して側壁から部分的に自由である第２固定位置まで、回転して移動可能であり、
（ｃ）前記溝付壁は、少なくとも第１滑走表面を有する第１溝と第２滑走表面を有する第２溝とを有し、
前記フィルタアセンブリは、さらに、
（ｄ）前記バスケットの周りに使用可能に取り付けられ、アダプター開口部を画定しかつ開口壁を有する、アダプターリングを含み、
（i）少なくとも第１および第２突起物は、前記開口壁から前記アダプター開口部中に伸びている前記突起物構成物であり、
（Ａ）前記第１突起物は、前記第２突起物から前記開口壁に沿って垂直方向に間隔をあけて配置されており、
（Ｂ）前記第１突起物は、前記第２突起物から前記開口壁に沿って周囲方向に間隔をあけて配置されており、
（１）前記第１突起物は、前記第１溝の前記第１滑走表面に係合するように作られかつ配置されており、
（２）前記第２突起物は、前記第２溝の前記第２滑走表面に係合するように作られかつ配置されていることを特徴とする請求項６に記載のフィルタアセンブリ。
【請求項１０】
（ａ）シール位置と排液位置との間に移動可能に配置された、プラグを含む排液弁アセンブリを更に含み、
（i）前記シール位置は、前記ボウルの前記内部容積部と前記排液開口部との間の流体が流れるのを止める前記プラグを含み、
（ii）前記排液位置は、前記ボウルの前記内部容積部から前記排液開口部まで流体が流れるのを可能にするように、前記ボウルに対して配置されている前記プラグを含み、
（ｂ）前記多孔性の内側フィルタ支持体の内部中に使用可能に配置されたコア部分を更に有し、前記コア部分は、係合位置と解放位置との間で移動可能に配置されているヘッドを有するポストを含み、
（i）前記係合位置は、前記プラグを前記シール位置に押し込むように前記プラグに対して配置されている前記ヘッドを含み、
（ii）前記解放位置は、前記プラグが前記排液位置まで動くのを可能にするように、前記プラグから間隔を空けて配置されている前記ヘッドを含む、ことを特徴とする請求項６に記載のフィルタアセンブリ。
【請求項１１】
請求項６乃至１０のうちのいずれか１項に記載のフィルタアセンブリと、
（ａ）前記ボウルに選択的に接続可能なフィルタヘッドであって、
（i）前記ボウルと前記フィルタヘッドとは、前記ボウルが前記口部で選択的に取り外し可能に前記フィルタヘッドに取り付けられるのを可能にする適合構造を有する、前記フィルタヘッドと、
を有することを特徴とするフィルタシステム。
【請求項１２】
フィルタカートリッジをボウルに設置する方法であって、
（ａ）フィルタ媒体の管状構造物を有するフィルタカートリッジを開いた口部を有するボウルに配置する工程であって、
（i）前記ボウルは、その中に取り付けられた内側フィルタ支持体を有し、
（ii）前記ボウルは、さらに前記内側フィルタ支持体内にコア部分を有し、前記コア部分が前記ボウルの前記開いた口部に向かう方向で軸方向に伸びている溝付壁を有するバスケットを保持し、前記バスケットは中央の長手方向の軸を画定し、前記バスケットは、前記中央の長手方向の軸の周りを回転して移動可能であり、
（iii）前記コア部分と前記内側フィルタ支持体とは、ロックアウト機構の一部として互いに係合し、
（ｂ）前記配置する工程の間に、前記フィルタカートリッジを前記バスケットに押しつけて前記バスケットを回転して前記コア部分と前記内側フィルタ支持体を取り外す工程と、
（ｃ）前記取り外した後に、前記フィルタカートリッジと前記コア部分の両方を前記内側フィルタ支持体に対して軸方向に移動する工程と、
を有することを特徴とする方法。
【請求項１３】
（ａ）前記バスケットは、前記ボウルの端部に向かう方向で軸方向に伸びている少なくとも１つの片持ちばりの脚を含み、
（ｂ）前記内側フィルタ支持体は、少なくとも１つの内側方向で半径方向に伸びている突起物を含み、
（ｃ）前記押しつける工程は、
（i）前記フィルタカートリッジから前記バスケットの前記溝付壁に対して伸びている第１突起物を係合して、前記バスケットを少し回転する工程と、
（ii）次に、前記フィルタカートリッジから前記バスケットの前記溝付壁に対して伸びている第２突起物を係合して、前記バスケットを、前記片持ちばりの脚を前記内側フィルタ支持体上で前記内側方向で半径方向に伸びている突起物に対する係合から更に回転して移動する工程と、
を有することを特徴とする請求項１２に記載の方法。
【請求項１４】
（ａ）内部容積部と、開いている口部と、前記口部の対向する端部とを画定する周囲壁と含むボウルであって、
（i）前記ボウルの端部は、前記内部容積部と流体連絡する排液開口部を画定する、前記ボウルと、
（ｂ）開いているフィルタ内部を画定するフィルタ媒体の管状構造物を含有し、前記ボウルの前記内部容積部中に取り外し可能に配置されているフィルタカートリッジと、
（ｃ）前記開いているフィルタ内部中に配置されている多孔性の内側フィルタ支持体と、
（ｄ）シール位置と排液位置との間で移動可能に配置されたプラグを含む排液弁アセンブリであって、
（i）前記シール位置は、前記ボウルの前記内部容積部と前記排液開口部との間で流体が流れるのを止める前記プラグを含み、
（ii）前記排液位置は、前記ボウルの前記内部容積部から前記排液開口部まで流体が流れるのを可能にするように、前記ボウルに対して配置されているプラグを含み、
（iii）前記排液弁アセンブリは、
（Ａ）管状壁を有し、前記プラグが前記管状壁中に配置されかつ軸方向に移動可能である弁ハウジングと、
（Ｂ）前記弁ハウジングの管状壁を取り囲みかつ前記プラグの一部を押すバネと、
（Ｃ）前記プラグに固定され、前記弁ハウジングとともに第１プラグシールを形成する第１プラグシール部材であって、前記第１プラグシールは、前記プラグが前記シール位置にあるときに、ろ過されていない流体が前記フィルタ媒体を迂回して前記開いているフィルタ内部に入るのを防いでいる、前記第１プラグシール部材と、
（Ｄ）前記プラグに固定され、前記弁ハウジングとともに第２プラグシール部材を形成する第２プラグシール部材であって、前記第２プラグシールは、流体が前記ボウルから前記排液開口部に入るのを防いでいる、前記第２プラグシール部材と、
（Ｅ）前記弁ハウジングに固定され、前記ボウルに接続されたディスクとともに第１弁シールを形成し、ろ過されていない流体が前記フィルタ媒体を迂回して前記開いているフィルタ内部に入るのを防いでいる第１弁シール部材と、
（Ｆ）前記弁ハウジングに固定され、前記ボウルと第２弁シールを形成し、流体が前記ボウルから排液開口部に入るのを防いでいる第２弁シールと、を含む、前記排液弁アセンブリと、
を有することを特徴とするフィルタアセンブリ。
【請求項１５】
（ａ）前記多孔性の内側フィルタ支持体の内部中に使用可能に配向されたコア部分を更に有し、前記コア部分は、係合位置と解放位置との間で移動可能に配向されているヘッドを有するポストを含み、
（i）前記係合位置は、前記プラグを前記シール位置に押し込むように前記プラグに対して配置している前記ヘッドを含み、
（ii）前記解放位置は、前記プラグが前記排液位置に動くのを可能にするように、前記プラグから間隔を空けて配置されている前記ヘッドを含み、
（ｂ）前記コア部分は、さらにフィン構成物を含み、前記ポストのヘッドは、半径方向のフランジを含み、
（ｃ）前記多孔性の内側フィルタ支持体は、内側方向に伸びている支持体と、複数のガイドレールとをさらに含み、
（i）前記ヘッドの半径方向フランジは、前記ヘッドが前記解放位置にあるとき、前記支持体の下側表面に対して移動可能に係合しており、
（ii）前記フィン構成物は、前記複数のガイドレール中に滑走可能に配置されており、
（ｄ）前記フィルタアセンブリは、前記フィン構成物と前記支持体の上側表面との間で使用可能に配置されたコア部分バネを更に含んでいることを特徴とする請求項１４に記載のフィルタアセンブリ。
【請求項１６】
フィルタアセンブリから液体を排出する方法であって、
（ａ）内部容積部と、流体出口部分と、フィルタカートリッジと、を有するボウルをフィルタヘッドから少なくとも少しゆるめて、弁ハウジング管状壁の周りに取り付けられたバネが前記弁ハウジング管状壁内に配置されたプラグをシール位置から排液位置へと軸方向に移動するのを可能にする工程を有し、
（i）前記シール位置は、
（Ａ）前記プラグに固定され、前記弁ハウジング管状壁とともに第１プラグシールを形成する第１プラグシール部材であって、前記第１プラグシールが、前記ボウルの内部容積部と前記流体出口部分との間で流体が流れるのを止め、かつ前記フィルタカートリッジの上流側と前記フィルタカートリッジの下流側との間で流体が流れるのを止める、前記第１プラグシール部材と、
（Ｂ）前記プラグに固定され、前記弁ハウジング管状壁とともに第２プラグシールを形成する第２プラグシール部材であって、前記第２プラグシールが、前記ボウルの内部容積部と前記ボウルの前記流体出口部分との間で流体が流れを止める、前記第２プラグシール部材とを含み、
（ii）前記排液位置は、前記ボウルの内部容積部と前記ボウルの流体出口部との間で流体が流れるのを可能にするように前記弁ハウジング内に配置された前記プラグを含むことを特徴とする方法。
【請求項１７】
（ａ）ボウルを少しゆるめる工程は、弁スプリングが前記シール位置から前記排液位置へ前記プラグを移動するのを可能にするように、コア部分バネが、ヘッドを有するコア部分バネを前記プラグとの係合から軸方向に移動するのを可能にする工程を含むことを特徴とする請求項１６に記載の方法。
【請求項１８】
（ａ）内部容積部と、開いている口部と、前記口部の対抗する端部と、を画定する周囲壁を含むボウルと、
（ｂ）開いているフィルタ内部を画定するフィルタ媒体の管状構造物を有し、前記ボウルの前記内部容積部中に配置された取り外し可能なフィルタカートリッジと、
（ｃ）前記開いているフィルタ内部に配置された多孔性の内側フィルタ支持体と、
（ｄ）ポストを含み、前記多孔性の内側フィルタ支持体の内部に使用可能に配置されたコア部分と、
（ｅ）前記フィルタカートリッジを前記ポストに取り外し可能に接続するように作られかつ配置されている保持機構と、
を有することを特徴とするフィルタアセンブリ。
【請求項１９】
フィルタボウルととともに使用するアダプターリングであって、
（ａ）開口部を画定し、外側の半径方向表面と内側の半径方向表面とを有し、前記内側の半径方向表面が開口壁を画定する円形バンドと、
（ｂ）前記開口壁から前記開口部中に伸びている少なくとも第１突起物と第２突起物であって、前記アダプターリングが使用可能にフィルタボウル中に取り付けられた場合に、前記フィルタボウル中でロックアウト機構と係合する、前記少なくとも第１突起物と第２突起物と、を有し、
（i）前記第１突起物が前記第２突起物から前記開口壁に沿って垂直方向に間隔をあけて配置されており、
（ii）前記第１突起物が前記第２突起物から前記開口壁に沿って周囲方向に間隔をあけて配置されている、
ことを特徴とするアダプターリング。
【請求項２０】
（ａ）前記開口部は内径を画定し、
（ｂ）前記第１突起物は、前記開口部の内径の４０％以下の長さで前記開口部中に伸びており、
（ｃ）前記第２突起物は、前記開口部の内径の４０％以下の長さで前記開口部中に伸びており、
（ｄ）前記第１突起物と第２突起物との間の垂直方向の距離は、前記内径の２〜３０％の長さであることを特徴とする請求項１９に記載のアダプターリング。
【請求項２１】
コア部分と内側のフィルタ支持体とを取り外すためにアダプターリングを使用する方法であって、
（ａ）少なくとも第１突起物と第２突起物とを有するアダプターをフィルタボウル中に配置する配置工程であって、
（i）前記フィルタボウルは、その中に取り付けられた内側フィルタ支持体を有し、
（ii）前記フィルタボウルは、前記内側のフィルタ支持体中で、前記ボウルの前記開いた口部に向かう方向に軸方向に伸びている溝付壁を有するバスケットを保持するコア部分をさらに有し、前記バスケットは中央の長手方向軸を画定し、前記バスケットは、前記中央の長手方向軸の周りを回転して移動可能であり
（iii）前記コア部分と前記内側のフィルタ支持体はロックアウト機構の一部として互いに係合する、前記配置する工程と、
（ｂ）前記配置工程の間に、前記バスケットの前記溝付壁に対して前記第１突起物を押し込み、次に、前記バスケットの前記溝付壁に対して前記第２突起物を押し込んで、前記バスケットを回転して前記コア部分と前記内側フィルタ支持体を取り外す取外工程と、
（ｃ）前記取外の後で、前記内側のフィルタ支持体に対して前記コア部分を軸方向に移動する移動工程と、
を有することを特徴とする方法。
【請求項２２】
（ａ）内部容積部と、開いている口部と、前記口部の対向する端部と、を画定する周囲壁を含むボウルであって、
（i）前記ボウルの端部が前記内部容積部と流体連絡する排液開口部を画定する、前記ボウルと、
（ｂ）開いているフィルタ内部を画定するフィルタ媒体の管状構造物を有し、前記ボウルの前記内部容積部中に取り外し可能に配向されたフィルタカートリッジと、
（ｃ）前記開いているフィルタ内部中に配置された多孔性の内側フィルタ支持体であって、バネ保持シート（７０８）をその間に画定する内部壁（７０６）と外部壁（６７０）を有する、前記多孔性の内側フィルタ支持体と、
（ｄ）前記ボウルの排液開口部中でシール位置と排液位置との間で使用可能に配置されるプラグを有し、かつ半径方向に伸びている複数のガイドフィン（７７２）を有する中央部材（７７０）を含み、前記多孔性の内側フィルタ支持体の内部中に使用可能に配置されているコア部分と、
（ｅ）前記バネ保持シートと前記複数のガイドフィン（７７２）の低い端部（７９６）中に配置され、前記シール位置と排液位置から前記コア部分と前記プラグを軸方向に移動する、バネ（７１０）であって
（i）前記シール位置は、前記ボウルの内部容積部と前記排液開口部との間で流体流れを止める前記プラグを含み、
（ii）前記排液位置は、前記ボウルの前記内部容積部から前記排液開口部を通る流れを可能にするように、前記ボウルに対して配置されている前記プラグを含む、前記バネと、
を有することを特徴とするフィルタアセンブリ。
【請求項２３】
フィルタアセンブリから液体を排出する方法であって、
（ａ）内部容積部と、流体出口部と、フィルタカートリッジとを含むボウルを、フィルタヘッドから少なくとも少しゆるめて、バネ（７１０）が、プラグ（７５２）を有するコア部分（６８２）をシール位置から排液位置まで軸方向に移動するのを可能にする工程を有し、
前記バネ（７１０）は、バネ保持シート（７０８）中で内側のフィルタ支持体（６５４）の内壁（７０６）と外壁（６７０）と、複数のガイドフィン（７７２）の端部（７９６）の間にあり、前記複数のガイドフィン（７７２）は、前記コア部分（６８２）の中央部材（７７０）から半径方向に伸びており、
（i）前記シール位置は、前記内側のフィルタ支持体（６５４）の部分を流れが通るのを止めることによって、前記ボウルの内部容積部と前記流体出口部との間で流体が流れるのを止める前記プラグ（７５２）を含み、
（ii）前記排液位置は、前記内側フィルタ支持体の部分を流れが通るのを可能にするように、前記内側フィルタ支持体（６５４）に対して配置され、前記ボウルの内部容積部と前記ボウルの流体出口部との間で流体が流れを可能にする、前記プラグ（７５２）を含むことを特徴とする方法。
【国際調査報告】
2010524685.tif 000061
2010524685.tif 000062
2010524685.tif 000063
2010524685.tif 000064
2010524685.tif 000065
2010524685.tif 000066